(57)【特許請求の範囲】
【請求項１】
ワイヤレス通信システムにおいて制御情報を送信する方法であって、
周波数拡散データを得るために離散フーリエ変換（ＤＦＴ）を用いて周波数を通して制御情報を拡散することと、
前記制御情報についての出力データを得るために直交シーケンスを用いて時間を通して前記周波数拡散データを拡散することと、
Ｎ個のハイブリッド自動反復要求（ＨＡＲＱ）プロセスのおのおのについて肯定応答（ＡＣＫ）値を決定することと、ここでＮは、１よりも大きい；
前記Ｎ個のＨＡＲＱプロセスについてのＮ個のＡＣＫ値に基づいてＡＣＫ情報を生成することと、なお前記制御情報は、前記ＡＣＫ情報を備える；
を備え、
各ＨＡＲＱプロセスについての前記ＡＣＫ値を決定することは、Ｑ個の可能な値のうちの１つに各ＨＡＲＱプロセスについての前記ＡＣＫ値を設定すること、を備え、ここでＱは、１よりも大きく、前記各ＨＡＲＱプロセスについてのコードワードの数に基づいて決定され、そして前記ＡＣＫ情報を生成することは、前記ＡＣＫ情報についてのＮＡＣＫビットを得るために前記Ｎ個のＡＣＫ値を一緒に符号化すること、を備え、ここで
【数１】
0005453264.tif 000012
であり、そして
【数２】
0005453264.tif 000013
は、シーリングオペレータを示す、方法。
【請求項２】
周波数を通して前記制御情報を拡散することは、Ｓ個のサブキャリアについてＳ個の周波数ドメインシンボルを備える前記周波数拡散データを得るためにＳ−ポイントＤＦＴを用いて前記Ｓ個のサブキャリアを通して前記制御情報を拡散すること、を備え、ここでＳは、１よりも大きい、請求項１に記載の方法。
【請求項３】
時間を通して前記周波数拡散データを拡散することは、Ｌ個のシンボル期間にわたってＬ組のＳ個の出力シンボルを備える前記出力データを得るために長さＬの前記直交シーケンスを用いて前記Ｓ個の周波数ドメインシンボルを拡散すること、を備え、ここでＬは、１よりも大きい、請求項２に記載の方法。
【請求項４】
符号化データを得るためにブロック符号に基づいて前記制御情報を符号化すること、
をさらに備え、そして周波数を通して前記制御情報を拡散することは、前記周波数拡散データを得るために周波数を通して前記符号化データを拡散すること、を備える、請求項１に記載の方法。
【請求項５】
前記制御情報は、肯定応答（ＡＣＫ）情報と、チャネル品質インジケータ（ＣＱＩ）情報とを備え、前記方法は、
符号化データを得るためにブロック符号に基づいて前記ＡＣＫ情報と前記ＣＱＩ情報とを一緒に符号化すること、をさらに備え、そして周波数を通して前記制御情報を拡散することは、前記周波数拡散データを得るために周波数を通して前記符号化データを拡散すること、を備える、請求項１に記載の方法。
【請求項６】
１つのコードワードが、前記Ｎ個のＨＡＲＱプロセスのおのおのについて送信され、そして各ＨＡＲＱプロセスについての前記ＡＣＫ値は、割当てが受信されない場合に第１の値に、前記コードワードが正しく復号される場合に第２の値に、または前記コードワードが誤って復号される場合に第３の値に、設定される、請求項１に記載の方法。
【請求項７】
第１および第２のコードワードが、前記Ｎ個のＨＡＲＱプロセスのおのおのについて送信され、そして各ＨＡＲＱプロセスについての前記ＡＣＫ値は、割当てが受信されない場合に第１の値に、前記第１および第２のコードワードが正しく復号される場合に第２の値に、前記第１のコードワードだけが正しく復号される場合に第３の値に、前記第２のコードワードだけが正しく復号される場合に第４の値に、または前記第１および第２のコードワードが誤って復号される場合に第５の値に、設定される、請求項１に記載の方法。
【請求項８】
Ｎ個のダウンリンクサブフレームにおいて前記Ｎ個のＨＡＲＱプロセスについてのコードワードを受信することと、
Ｍ個のアップリンクサブフレームのうちの１つにおいて前記出力データを送信することと、
をさらに備え、前記Ｎ個のダウンリンクサブフレームと、前記Ｍ個のアップリンクサブフレームとは、時分割二重化される、請求項１に記載の方法。
【請求項９】
前記制御情報は、肯定応答（ＡＣＫ）情報、またはチャネル品質インジケータ（ＣＱＩ）情報、あるいはＡＣＫ情報とＣＱＩ情報との両方を備える、請求項１に記載の方法。
【請求項１０】
ワイヤレス通信のための装置であって、
周波数拡散データを得るために離散フーリエ変換（ＤＦＴ）を用いて周波数を通して制御情報を拡散するように、そして前記制御情報についての出力データを得るために直交シーケンスを用いて時間を通して前記周波数拡散データを拡散するように、構成された少なくとも１つのプロセッサ、
を備え、
前記少なくとも１つのプロセッサは、Ｎ個のハイブリッド自動反復要求（ＨＡＲＱ）プロセスのおのおのについて肯定応答（ＡＣＫ）値を決定するように、そして前記Ｎ個のＨＡＲＱプロセスについてのＮ個のＡＣＫ値に基づいてＡＣＫ情報を生成するように、構成されており、ここでＮは、１よりも大きく、そして前記制御情報は、前記ＡＣＫ情報を備え、
前記少なくとも１つのプロセッサは、Ｑ個の可能な値のうちの１つに各ＨＡＲＱプロセスについての前記ＡＣＫ値を設定することによって各ＨＡＲＱプロセスについての前記ＡＣＫ値を決定するようにさらに構成されており、ここでＱは、１よりも大きく、前記各ＨＡＲＱプロセスについてのコードワードの数に基づいて決定され、そして前記ＡＣＫ情報を生成することは、前記ＡＣＫ情報についてのＮＡＣＫビットを得るために前記Ｎ個のＡＣＫ値を一緒に符号化すること、を備え、ここで
【数３】
0005453264.tif 000014
であり、そして
【数４】
0005453264.tif 000015
は、シーリングオペレータを示す、装置。
【請求項１１】
前記少なくとも１つのプロセッサは、Ｓ個のサブキャリアについてＳ個の周波数ドメインシンボルを備える前記周波数拡散データを得るためにＳ−ポイントＤＦＴを用いて前記Ｓ個のサブキャリアを通して前記制御情報を拡散するように構成されており、ここでＳは、１よりも大きい、請求項１０に記載の装置。
【請求項１２】
前記少なくとも１つのプロセッサは、Ｎ個のダウンリンクサブフレームにおいて前記Ｎ個のＨＡＲＱプロセスについてのコードワードを受信するように、そしてＭ個のアップリンクサブフレームのうちの１つにおいて前記出力データを送信するように、構成されており、前記Ｎ個のダウンリンクサブフレームと前記Ｍ個のアップリンクサブフレームとは、時分割二重化される、請求項１０に記載の装置。
【請求項１３】
ワイヤレス通信システムのための装置であって、
周波数拡散データを得るために離散フーリエ変換（ＤＦＴ）を用いて周波数を通して制御情報を拡散するための手段と、
前記制御情報についての出力データを得るために直交シーケンスを用いて時間を通して前記周波数拡散データを拡散するための手段と、
Ｎ個のハイブリッド自動反復要求（ＨＡＲＱ）プロセスのおのおのについて肯定応答（ＡＣＫ）値を決定するための手段と、ここでＮは、１よりも大きい；
前記Ｎ個のＨＡＲＱプロセスについてのＮ個のＡＣＫ値に基づいてＡＣＫ情報を生成するための手段と、なお前記制御情報は、前記ＡＣＫ情報を備える；
を備え、
各ＨＡＲＱプロセスについての前記ＡＣＫ値を決定するための手段は、Ｑ個の可能な値のうちの１つに各ＨＡＲＱプロセスについての前記ＡＣＫ値を設定するように構成されており、ここでＱは、１よりも大きく、前記各ＨＡＲＱプロセスについてのコードワードの数に基づいて決定され、そして前記ＡＣＫ情報を生成する手段は、前記ＡＣＫ情報についてのＮＡＣＫビットを得るために前記Ｎ個のＡＣＫ値を一緒に符号化し、ここで
【数５】
0005453264.tif 000016
であり、そして
【数６】
0005453264.tif 000017
は、シーリングオペレータを示す、装置。
【請求項１４】
周波数を通して前記制御情報を拡散するための前記手段は、Ｓ個のサブキャリアについてＳ個の周波数ドメインシンボルを備える前記周波数拡散データを得るためにＳ−ポイントＤＦＴを用いて前記Ｓ個のサブキャリアを通して前記制御情報を拡散するための手段、を備え、ここでＳは、１よりも大きい、請求項１３に記載の装置。
【請求項１５】
少なくとも１台のコンピュータに、周波数拡散データを得るために離散フーリエ変換（ＤＦＴ）を用いて周波数を通して制御情報を拡散するようにさせるためのコードと、
前記少なくとも１台のコンピュータに、前記制御情報についての出力データを得るために直交シーケンスを用いて時間を通して前記周波数拡散データを拡散するようにさせるためのコードと、
Ｎ個のハイブリッド自動反復要求（ＨＡＲＱ）プロセスのおのおのについて肯定応答（ＡＣＫ）値を決定するためのコードと、ここでＮは、１よりも大きい；
前記Ｎ個のＨＡＲＱプロセスについてのＮ個のＡＣＫ値に基づいてＡＣＫ情報を生成するためのコードと、なお前記制御情報は、前記ＡＣＫ情報を備える；
を備え、
各ＨＡＲＱプロセスについての前記ＡＣＫ値を決定することは、Ｑ個の可能な値のうちの１つに各ＨＡＲＱプロセスについての前記ＡＣＫ値を設定すること、を備え、ここでＱは、１よりも大きく、前記各ＨＡＲＱプロセスについてのコードワードの数に基づいて決定され、そして前記ＡＣＫ情報を生成することは、前記ＡＣＫ情報についてのＮＡＣＫビットを得るために前記Ｎ個のＡＣＫ値を一緒に符号化すること、を備え、ここで
【数７】
0005453264.tif 000018
であり、そして
【数８】
0005453264.tif 000019
は、シーリングオペレータを示す、プログラムを記録したコンピュータ読み取り可能な記憶媒体。
【請求項１６】
ワイヤレス通信システムにおいて制御情報を受信する方法であって、
時間逆拡散データを得るために直交シーケンスを用いて時間を通して受信データを逆拡散することと、
制御情報についての逆拡散シンボルを得るために逆離散フーリエ変換（ＩＤＦＴ）を用いて周波数を通して前記時間逆拡散データを逆拡散することと、
を備え、
肯定応答（ＡＣＫ）値は、Ｎ個のハイブリッド自動反復要求（ＨＡＲＱ）プロセスのおのおのについて決定され、ここでＮは、１よりも大きく、そしてＡＣＫ情報は前記Ｎ個のＨＡＲＱプロセスについてのＮ個のＡＣＫ値に基づいて生成され、前記制御情報は、前記ＡＣＫ情報を備え、
各ＨＡＲＱプロセスについての前記ＡＣＫ値を決定することは、Ｑ個の可能な値のうちの１つに各ＨＡＲＱプロセスについての前記ＡＣＫ値を設定すること、を備え、ここでＱは、１よりも大きく、前記各ＨＡＲＱプロセスについてのコードワードの数に基づいて決定され、そして前記ＡＣＫ情報を生成することは、前記ＡＣＫ情報についてのＮＡＣＫビットを得るために前記Ｎ個のＡＣＫ値を一緒に符号化すること、を備え、ここで
【数９】
0005453264.tif 000020
であり、そして
【数１０】
0005453264.tif 000021
は、シーリングオペレータを示す、方法。
【請求項１７】
周波数を通して前記時間逆拡散データを逆拡散することは、Ｓ個の逆拡散シンボルを得るためにＳ−ポイントＩＤＦＴを用いてＳ個のサブキャリアを通して前記時間逆拡散データを逆拡散すること、を備え、ここでＳは、１よりも大きい、請求項１６に記載の方法。
【請求項１８】
復号された制御情報を得るためにブロック符号に基づいて前記逆拡散シンボルを復号すること、
をさらに備える請求項１６に記載の方法。
【請求項１９】
前記逆拡散シンボルに基づいて前記Ｎ個のＨＡＲＱプロセスのおのおのについて肯定応答（ＡＣＫ）値を決定すること、
をさらに備える、請求項１６に記載の方法。
【請求項２０】
Ｎ個のダウンリンクサブフレームにおいて前記Ｎ個のＨＡＲＱプロセスについてのコードワードを送信することと、
Ｍ個のアップリンクサブフレームのうちの１つにおいて前記受信データを得ることと、
をさらに備え、前記Ｎ個のダウンリンクサブフレームと、前記Ｍ個のアップリンクサブフレームとは、時分割二重化される、請求項１９に記載の方法。
【請求項２１】
前記制御情報は、前記肯定応答（ＡＣＫ）情報、またはチャネル品質インジケータ（ＣＱＩ）情報、あるいはＡＣＫ情報とＣＱＩ情報との両方を備える、請求項１６に記載の方法。
【請求項２２】
ワイヤレス通信のための装置であって、
時間逆拡散データを得るために直交シーケンスを用いて時間を通して受信データを逆拡散するように、そして制御情報についての逆拡散シンボルを得るために逆離散フーリエ変換（ＩＤＦＴ）を用いて周波数を通して前記時間逆拡散データを逆拡散するように、構成された少なくとも１つのプロセッサ、
を備え、
肯定応答（ＡＣＫ）値は、Ｎ個のハイブリッド自動反復要求（ＨＡＲＱ）プロセスのおのおのについて決定され、ここでＮは、１よりも大きく、そしてＡＣＫ情報は前記Ｎ個のＨＡＲＱプロセスについてのＮ個のＡＣＫ値に基づいて生成され、前記制御情報は、前記ＡＣＫ情報を備え、
各ＨＡＲＱプロセスについての前記ＡＣＫ値を決定することは、Ｑ個の可能な値のうちの１つに各ＨＡＲＱプロセスについての前記ＡＣＫ値を設定すること、を備え、ここでＱは、１よりも大きく、前記各ＨＡＲＱプロセスについてのコードワードの数に基づいて決定され、そして前記ＡＣＫ情報を生成することは、前記ＡＣＫ情報についてのＮＡＣＫビットを得るために前記Ｎ個のＡＣＫ値を一緒に符号化すること、を備え、ここで
【数１１】
0005453264.tif 000022
であり、そして
【数１２】
0005453264.tif 000023
は、シーリングオペレータを示す、装置。
【請求項２３】
前記少なくとも１つのプロセッサは、Ｓ個の逆拡散シンボルを得るためにＳ−ポイントＩＤＦＴを用いてＳ個のサブキャリアを通して前記時間逆拡散データを逆拡散するように構成されており、ここでＳは、１よりも大きい、請求項２２に記載の装置。
【請求項２４】
前記少なくとも１つのプロセッサは、前記逆拡散シンボルに基づいて前記Ｎ個のＨＡＲＱプロセスのおのおのについて肯定応答（ＡＣＫ）値を決定するように構成された、請求項２２に記載の装置。
【請求項２５】
前記少なくとも１つのプロセッサは、Ｎ個のダウンリンクサブフレームにおいて前記Ｎ個のＨＡＲＱプロセスについてのコードワードを送信するように、そしてＭ個のアップリンクサブフレームのうちの１つにおいて前記受信データを得るように、構成されており、前記Ｎ個のダウンリンクサブフレームと、前記Ｍ個のアップリンクサブフレームとは、時分割二重化される、請求項２４に記載の装置。
【発明の詳細な説明】
【優先権の主張】
【０００１】
本願は、この本譲受人に対して譲渡され、ここにおいて参照により組み込まれている２００７年８月１３日に出願された「ＴＤＤ単一キャリアシステムについてのアップリンク制御チャネルの符号化および多重化の構造のための方法および装置(METHOD AND APPARATUS FOR UPLINK CONTROL CHANNEL CODING AND MULTIPLEXING STRUCTURE FOR TDD SINGLE CARRIER SYSTEMS)」という名称の仮米国出願第６０／９５５，６２４号の優先権を主張するものである。
【技術分野】
【０００２】
本開示は、一般に通信に関し、そしてより詳細にはワイヤレス通信システムにおける制御情報を送信するための技法に関する。
【背景技術】
【０００３】
ワイヤレス通信システムは、音声、ビデオ、パケットデータ、メッセージング、ブロードキャストなど、様々な通信コンテンツを提供するために広範に展開される。これらのワイヤレスシステムは、使用可能なシステムリソースを共用することにより複数のユーザをサポートすることができる多元接続システム(multiple-access sytems)とすることができる。そのような多元接続システムの例は、符号分割多元接続(Code Division Multiple Access)（ＣＤＭＡ）システムと、時分割多元接続(Time Division Multiple Access)（ＴＤＭＡ）システムと、周波数分割多元接続(Frequency Division Multiple Access)（ＦＤＭＡ）システムと、直交ＦＤＭＡ(Orthogonal FDMA)（ＯＦＤＭＡ）システムと、単一キャリアＦＤＭＡ(Single-Carrier FDMA)（ＳＣ−ＦＤＭＡ）システムと、を含む。
【０００４】
ワイヤレス通信システムにおいて、ノードＢ(Node B)は、ダウンリンク上でユーザ装置(user equipment)（ＵＥ）に対してトラフィックデータを送信し、かつ／またはアップリンク上でＵＥからトラフィックデータを受信することができる。ダウンリンク（または順方向リンク）は、ノードＢからＵＥへの通信リンクを意味し、そしてアップリンク（または逆方向リンク）は、ＵＥからノードＢへの通信リンクを意味する。ＵＥは、ダウンリンクチャネル品質を示すチャネル品質インジケータ(channel quality indicator)（ＣＱＩ）情報をノードＢに対して送信することができる。ノードＢは、ＣＱＩ情報に基づいてレートを選択することができ、そして選択されたレートでトラフィックデータをＵＥに対して送信することができる。ＵＥは、ノードＢから受信されるトラフィックデータについての肯定応答(acknowledgement)（ＡＣＫ）情報を送信することができる。ノードＢは、ＡＣＫ情報に基づいてＵＥに対して、待ち状態のトラフィックデータを再送信すべきか、あるいは新しいトラフィックデータを送信すべきかを決定することができる。ＡＣＫ情報とＣＱＩ情報とを効率的に送信することが望ましい。
【発明の概要】
【０００５】
ワイヤレス通信システムにおける制御情報を送信するための技法が、ここにおいて説明される。一態様においては、制御情報は、周波数を通して、そして送信に先立って時間を通してもまた、拡散される(be spread)ことができる。一設計においては、ＵＥは、符号化データ(coded data)を得るためにブロック符号(block code)に基づいて制御情報（例えば、ＡＣＫ情報および／またはＣＱＩ情報）を符号化することができる。ＵＥは、周波数拡散データ(frequency spread data)を得るために離散フーリエ変換(discrete Fourier transform)（ＤＦＴ）を用いて周波数を通して符号化データを拡散することができる。ＵＥは、さらに、制御情報についての出力データを得るために直交シーケンスを用いて時間を通して周波数拡散データを拡散することができる。一設計においては、ＵＥは、Ｎ個のダウンリンクサブフレームの中でＮ個のハイブリッド自動反復要求(hybrid automatic repeat request)（ＨＡＲＱ）プロセスについてのコードワードを受信することができ、ここでＮ＞１である。ＵＥは、各ＨＡＲＱプロセスについてＡＣＫ値を決定することができ、そしてＡＣＫ情報を得るためにＮ個のＨＡＲＱプロセスについてのＮ個のＡＣＫ値を個別に、あるいは一緒に符号化することができる。ＵＥは、出力データを得るためにＡＣＫ情報を処理することができ、そしてＭ個のアップリンクサブフレームのうちの１つの中で出力データを送信することができ、ここでＭ＞１である。Ｎ個のダウンリンクサブフレームと、Ｍ個のアップリンクサブフレームとは、時分割二重化されることができる。
【０００６】
別の態様においては、第１の制御情報（例えば、１つのＨＡＲＱプロセスについてのＡＣＫ情報）は、時間ドメイン(time domain)と周波数ドメイン(frequency domain)との両方における符号分割多重化を利用した第１の符号化および多重化のスキームに基づいて処理されることができる。第２の制御情報（例えば、複数のＨＡＲＱプロセスについてのＡＣＫ情報、ＣＱＩ情報、またはＡＣＫ情報とＣＱＩ情報との両方）は、時間ドメインにおける符号分割多重化と、周波数ドメインにおける拡散とを利用した第２の符号化および多重化のスキームに基づいて処理されることができる。
【０００７】
一設計においては、トランスミッタ（例えば、ＵＥ）は、第１の制御情報に基づいて変調シンボルを生成し、変調シンボルを用いて基準信号シーケンスを変調し、そして第１の直交シーケンスを用いて時間を通して被変調基準信号シーケンスを拡散することができる。一設計においては、レシーバ（例えば、ノードＢ）は、時間逆拡散データ(time despread data)を得るために第１の直交シーケンスを用いて時間を通して受信データを逆拡散し、相関結果を得るために時間逆拡散データを基準信号シーケンスと相互に関連づけ、そして相関結果に基づいて第１の制御情報を復元する(recover)ことができる。
【０００８】
一設計においては、トランスミッタは、符号化データを得るために第２の制御情報を符号化し、周波数拡散データを得るためにＤＦＴを用いて周波数を通して符号化データを拡散し、そして第２の直交シーケンスを用いて時間を通して周波数拡散データを拡散することができる。一設計においては、レシーバは、時間逆拡散データを得るために第２の直交シーケンスを用いて時間を通して受信データを拡散し、周波数逆拡散データを得るために逆ＤＦＴ（ＩＤＦＴ）を用いて周波数を通して時間逆拡散データを逆拡散し、そして第２の制御情報を復元するために周波数逆拡散データを復号することができる。
【０００９】
本開示の様々な態様および特徴が、下記にさらに詳細に説明される。
【図面の簡単な説明】
【００１０】
【図１】図１は、ワイヤレス通信システムを示している。
【図２Ａ】図２Ａは、ＴＤＤシステムについての一例のフレーム構造を示している。
【図２Ｂ】図２Ｂは、ＴＤＤシステムについてのＮ：Ｍコンフィギュレーションを示している。
【図３】図３は、ダウンリンクとアップリンクとの上での送信の例を示している。
【図４】図４は、アップリンクについての送信構造を示している。
【図５】図５は、符号化および多重化のスキーム１についての一例の構造を示している。
【図６】図６は、符号化および多重化のスキーム２についての一例の構造を示している。
【図７】図７は、符号化および多重化のスキーム３についての一例の構造を示している。
【図８】図８は、ノードＢとＵＥとのブロック図を示している。
【図９】図９は、符号化および多重化のスキーム１についての送信プロセッサを示している。
【図１０】図１０は、符号化および多重化のスキーム３についての送信プロセッサを示している。
【図１１】図１１は、符号化および多重化のスキーム１についての受信プロセッサを示している。
【図１２】図１２は、符号化および多重化のスキーム３についての受信プロセッサを示している。
【図１３】図１３は、制御情報を送信するためのプロセスを示している。
【図１４】図１４は、制御情報を送信するための装置を示している。
【図１５】図１５は、制御情報を受信するためのプロセスを示している。
【図１６】図１６は、制御情報を受信するための装置を示している。
【図１７】図１７は、制御情報を処理するためのプロセスを示している。
【図１８】図１８は、制御情報を処理するための装置を示している。
【図１９】図１９は、ＴＤＤシステムにおいてデータを送信するためのプロセスを示している。
【図２０】図２０は、ＴＤＤシステムにおいてデータを送信するための装置を示している。
【図２１】図２１は、ＴＤＤシステムにおいてデータを受信するためのプロセスを示している。
【図２２】図２２は、ＴＤＤシステムにおいてデータを受信するための装置を示している。
【詳細な説明】
【００１１】
ここにおいて説明される技法は、ＣＤＭＡシステム、ＴＤＭＡシステム、ＦＤＭＡシステム、ＯＦＤＭＡシステム、ＳＣ−ＦＤＭＡシステム、他のシステムなど、様々なワイヤレス通信システムのために使用されることができる。用語「システム」と「ネットワーク」とは、多くの場合に交換可能に使用される。ＣＤＭＡシステムは、ユニバーサル地上波無線アクセス(Universal Terrestrial Radio Access)（ＵＴＲＡ）、ｃｄｍａ２０００などの無線技術をインプリメントすることができる。ＵＴＲＡは、広帯域ＣＤＭＡ(Wideband CDMA)（ＷＣＤＭＡ）と、ＣＤＭＡの他の変形とを含む。ｃｄｍａ２０００は、ＩＳ−２０００規格と、ＩＳ−９５規格と、ＩＳ−８５６規格と、をカバーする(cover)。ＴＤＭＡシステムは、移動通信用グローバルシステム(Global System for Mobile Communications)（ＧＳＭ）などの無線技術をインプリメントすることができる。ＯＦＤＭＡシステムは、進化ＵＴＲＡ(Evolved UTRA)（Ｅ−ＵＴＲＡ）、ウルトラモバイルブロードバンド(Ultra Mobile Broadband)（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュ−ＯＦＤＭ(Flash-OFDM)（登録商標）などの無線技術をインプリメントすることができる。ＵＴＲＡとＥ−ＵＴＲＡとは、ユニバーサルモバイル電気通信システム(Universal Mobile Telecommunication System)（ＵＭＴＳ）の一部分である。３ＧＰＰ長期進化(long Term Evolution)（ＬＴＥ）は、Ｅ−ＵＴＲＡを使用するＵＭＴＳの来るべきリリースであり、これは、ダウンリンク上のＯＦＤＭＡと、アップリンク上のＳＣ−ＦＤＭＡと、を使用する。ＵＴＲＡと、Ｅ−ＵＴＲＡと、ＵＭＴＳと、ＬＴＥと、ＧＳＭとは、「第３世代パートナーシッププロジェクト(3rd Generation Partnership Project)」（３ＧＰＰ）と命名される組織からのドキュメントの中で説明される。ｃｄｍａ２０００とＵＭＢとは、「第３世代パートナーシッププロジェクト２(3rd Generation Partnership Project 2)」（３ＧＰＰ２）と命名される組織からのドキュメントの中で説明される。明確にするために、本技法のある種の態様は、ＬＴＥについて下記に説明され、そしてＬＴＥという専門用語は、下記の説明の多くで使用される。
【００１２】
図１は、ワイヤレス通信システム１００を示しており、このシステムは、ＬＴＥシステムとすることができる。システム１００は、いくつかのノードＢ１１０と、他のネットワークエンティティと、を含むことができる。ノードＢは、ＵＥと通信する固定局とすることができ、そして進化ノードＢ(evolved Node B)（ｅＮＢ）、基地局、アクセスポイントなどと称されることもできる。ＵＥ１２０は、システム全体を通して分散させられることができ、そして各ＵＥは、静的、またはモバイルとすることができる。ＵＥは、移動局、端末、アクセス端末、加入者ユニット、局などと称されることもできる。ＵＥは、セルラ電話、携帯型個人情報端末(personal digital assistant)（ＰＤＡ）、ワイヤレスモデム、ワイヤレス通信デバイス、ハンドヘルドデバイス、ラップトップコンピュータ、コードレス電話などとすることができる。
【００１３】
本システムは、時分割二重化(time division duplexing)（ＴＤＤ）を利用することができる。ＴＤＤでは、ダウンリンクとアップリンクとは、同じ周波数チャネルを共用し、この周波数チャネルは、時にはダウンリンクのために、そしていつか他の時にはアップリンクのために、使用されることができる。
【００１４】
図２Ａは、ＴＤＤシステムのために使用されることができる一例のフレーム構造２００を示している。送信時系列は、無線フレームのユニットへと分割されることができる。各無線フレームは、あらかじめ決定された存続時間（例えば、１０ミリ秒（ｍｓ））を有することができ、そして０から９のインデックスを有する１０個のサブフレームへと分割されることができる。ＬＴＥは、複数の(multiple)ダウンリンク−アップリンクコンフィギュレーションをサポートする。サブフレーム０および５は、ダウンリンク（ＤＬ）のために使用されることができ、そしてサブフレーム２は、すべてのダウンリンク−アップリンクコンフィギュレーションについてアップリンク（ＵＬ）のために使用されることができる。サブフレーム３、４、７、８および９は、おのおの、ダウンリンク−アップリンクコンフィギュレーションに応じてダウンリンクまたはアップリンクのために使用されることができる。サブフレーム１は、ダウンリンクパイロットタイムスロット(downlink pilot time slot)（ＤｗＰＴＳ）と、保護期間(guard period)（ＧＰ）と、アップリンクパイロットタイムスロット(uplink pilot time slot)（ＵｐＰＴＳ）と、からなる３つの特殊フィールドを含むことができる。サブフレーム６は、ダウンリンク−アップリンクコンフィギュレーションに応じて、ＤｗＰＴＳだけ、またはすべての３つの特殊フィールド、あるいはダウンリンクサブフレームを含むことができる。
【００１５】
特殊フィールドのために使用されない各サブフレームは、２つのスロットへと分割されることができる。各スロットは、Ｑ個のシンボル期間、例えば、拡張巡回プレフィックスについてのＱ＝６個のシンボル期間、または正規巡回プレフィックスについてのＱ＝７個のシンボル期間、を含むことができる。フレーム構造２００は、公的に入手できる「進化したユニバーサル地上波無線アクセス（Ｅ−ＵＴＲＡ）；物理チャネルおよび変調(Evolved Universal Terrestrial Radio Access (E-UTRA); Physical Channels and Modulation)」という名称の３ＧＰＰ  ＴＳ３６．２１１の中で説明される。
【００１６】
図２Ｂは、ＴＤＤシステムにおけるダウンリンクおよびアップリンクについてのＮ：Ｍコンフィギュレーションを示している。Ｎ：Ｍコンフィギュレーションでは、ダウンリンク−アップリンクサイクルは、Ｍ個のアップリンクサブフレーム１からＭによって追随されるＮ個のダウンリンクサブフレーム１からＮを含んでいる。一般に、Ｎ≧１、Ｍ≧１であり、そしてＮは、Ｍに等しくてもよく、または等しくなくてもよい。ダウンリンクとアップリンクとの中の非対称は、ＮがＭに等しくないときに存在する。特殊フィールドを有するサブフレームは、簡単のために図２Ｂには示されていない。ダウンリンク−アップリンクサイクルは、静的または準静的とすることができる。
【００１７】
以下のシステムコンフィギュレーションが、サポートされることができる。  
・  １：Ｍコンフィギュレーション−１つのダウンリンクサブフレームは、Ｍ個のアップリンクサブフレームによってフォローされ、ここでＭ≧１である。  
・  Ｎ：Ｍコンフィギュレーション−Ｎ個のダウンリンクサブフレームは、Ｍ個のアップリンクサブフレームによってフォローされ、ここでＮ＞１およびＭ≧１である。
【００１８】
ＵＥは、ＵＥが、各ダウンリンク−アップリンクサイクルの中でＰ１ダウンリンクサブフレームを受信することがない不連続受信(discontinuous reception)（ＤＲＸ）モードで動作することができる。次いで、ＵＥは、（Ｎ−Ｐ１）：Ｍコンフィギュレーションにおいて効果的に動作することができる。代わりに、ＵＥは、ＵＥが、各ダウンリンク−アップリンクサイクルの中でＰ２アップリンクサブフレーム上で送信することがない不連続送信(discontinuous transmission)（ＤＴＸ）モードで動作することができる。次いで、ＵＥは、Ｎ：（Ｍ−Ｐ２）コンフィギュレーションにおいて効果的に動作することができる。ＵＥは、ＵＥが、Ｐ１ダウンリンクサブフレームを受信することがなく、そして各ダウンリンク−アップリンクサイクルの中でＰ２アップリンクサブフレーム上で送信することがないＤＲＸモードとＤＴＸモードとの両方で動作することもできる。次いで、ＵＥは、（Ｎ−Ｐ１）：（Ｍ−Ｐ２）コンフィギュレーションにおいて効果的に動作することができる。いずれにしてもＵＥのコンフィギュレーションは、下記に説明されるように、どのようにして制御情報がＵＥによって送信されることになるかに影響を及ぼす可能性がある。
【００１９】
本システムは、ＨＡＲＱをサポートすることができる。ダウンリンク上のＨＡＲＱでは、コードワードがＵＥによって正しく復号され、または最大数の送信が送信されており、あるいは何らかの他の終了条件に出会うまで、ノードＢは、ＵＥに対するコードワードについての送信を送信することができ、そして１つまたは複数の追加の送信を送信することができる。ＨＡＲＱは、データ送信の信頼性を改善することができる。
【００２０】
図３は、ＴＤＤシステムにおけるノードＢによるダウンリンク送信の例と、ＵＥによるアップリンク送信の例とを示している。ＵＥは、ノードＢについてのダウンリンクチャネル品質を定期的に推定することができ、そしてＣＱＩチャネル上でＣＱＩ情報をノードＢに対して送信することができる。ノードＢは、ダウンリンク送信についてＵＥをスケジュールするために、そしてＵＥについて適切なレート（例えば、変調および符号化のスキーム）を選択するために、ＣＱＩ情報および／または他の情報を使用することができる。ＵＥがスケジュールされる各ダウンリンクサブフレームでは、ノードＢは、各トランスポートブロックについて１つのコードワードの、ＮＢ個のコードワードを得るためにＮＢ個のトランスポートブロック（またはパケット）を処理することができ、ここでＮＢ≧１である。ノードＢは、物理ダウンリンク共用チャネル(physical downlink shared channel)（ＰＤＳＣＨ）上でＮＢ個のコードワードを送信することができ、そして物理ダウンリンク制御チャネル(physical downlink control channel)（ＰＤＣＣＨ）上で対応するダウンリンク割当てをＵＥに対して送信することができる。ノードＢは、ＵＥがスケジュールされない各ダウンリンクサブフレームにおいては、ダウンリンク割当てもコードワードもＵＥに対して送信しなくてもよい。
【００２１】
ＵＥは、もしあれば、ＵＥに送信されるダウンリンク割当てを得るために各ダウンリンクサブフレームにおいてＰＤＣＣＨを処理することができる。ダウンリンク割当てが受信される場合、そのときにはＵＥは、ＰＤＳＣＨを処理し、そしてＵＥに送信されるＮＢ個のコードワードを復号することができる。ＵＥは、ダウンリンクフェーズのＮ個のダウンリンクサブフレームの中でＵＥによって受信されるすべてのコードワードについてのＡＣＫ情報を生成することができる。ＡＣＫ情報は、各コードワードについてＡＣＫまたはＮＡＫを備えることができ、ここでＡＣＫは、コードワードが正しく復号されることを示すことができ、そしてＮＡＫは、コードワードが誤って復号されることを示すことができる。ＵＥは、次のアップリンクフェーズにおいて割り当てられたアップリンクサブフレームの中でＡＣＫチャネル上でＡＣＫ情報を送信することができる。ＡＣＫチャネルとＣＱＩチャネルとは、物理アップリンク制御チャネル(physical uplink control channel)（ＰＵＣＣＨ）の一部分とすることができる。ノードＢは、ＮＡＫが受信される各コードワードを再送信することができ、そしてＡＣＫが受信される各コードワードについて新しいコードワードを送信することができる。
【００２２】
ＬＴＥは、ダウンリンク上の直交周波数分割多重化(orthogonal frequency division multiplexing)（ＯＦＤＭ）と、アップリンク上の単一キャリア周波数分割多重化(single-carrier frequency division multiplexing)（ＳＣ−ＦＤＭ）と、を利用する。ＯＦＤＭとＳＣ−ＦＤＭとは、システム帯域幅を複数の（Ｋ個の）直交サブキャリアへと分割し、この直交サブキャリアは、一般にトーン、ビンなどとも称される。各サブキャリアは、データを用いて変調されることができる。一般に、変調シンボルは、ＯＦＤＭでは周波数ドメインにおいて、そしてＳＣ−ＦＤＭでは時間ドメインにおいて、送信される。隣接するサブキャリアの間の間隔は、固定されることができ、そしてサブキャリアの総数（Ｋ）は、システム帯域幅に依存したものとすることができる。例えば、Ｋは、１．２５ＭＨｚ、２．５ＭＨｚ、５ＭＨｚ、１０ＭＨｚまたは２０ＭＨｚのシステム帯域幅では、それぞれ１２８、２５６、５１２、１０２４または２０４８に等しいものとすることができる。
【００２３】
図４は、アップリンクについて使用されることができる送信構造４００の一設計を示している。Ｋ個の全部のサブキャリアは、リソースブロックへとグループ分けされることができる。各リソースブロックは、１スロットの中にＳ個のサブキャリア（例えば、Ｓ＝１２個のサブキャリア）を含むことができる。使用可能なリソースブロックは、ＰＵＣＣＨと、物理アップリンク共用チャネル(physical uplink shared channel)（ＰＵＳＣＨ）とに割り当てられることができる。ＰＵＣＣＨは、システム帯域幅の２つの端部近くにリソースブロックを含むことができ、そしてＰＵＳＣＨは、ＰＵＣＣＨに割り当てられていないすべてのリソースブロックを含むことができる。ＵＥは、ノードＢに対して制御情報を送信するためにＰＵＣＣＨについてのリソースブロックを割り当てられることができる。ＵＥは、トラフィックデータだけ、またはトラフィックデータと制御情報との両方をノードＢに対して送信するためにＰＵＳＣＨについてのリソースブロックを割り当てられることもできる。
【００２４】
ＵＥは、アップリンク上の様々なタイプの制御情報をノードＢに対して送信することができる。表１は、一設計に従ってＵＥによって送信されることができるいくつかのタイプの制御情報をリストアップしている。
【表１】
0005453264.tif 000002
【００２５】
ＡＣＫ情報について送信すべきビットの数（ＮＡＣＫ）は、肯定応答すべきＨＡＲＱプロセスの数、各ＨＡＲＱプロセスの中で送信されるコードワードの数、ダウンリンク割当てに肯定応答すべきかどうかなど、様々なファクタに依存する可能性がある。一設計においては、ノードＢは、各ダウンリンクサブフレームにおいて１つのＨＡＲＱプロセスの、Ｎ個までのＨＡＲＱプロセス上でトラフィックデータをＵＥに対して送信することができる。一設計においては、ノードＢは、単一入力多出力(single-input multiple-output)（ＳＩＭＯ）、または空間分割多元接続(spatial division multiple access)（ＳＤＭＡ）を用いて、各ＨＡＲＱプロセスの中で１つのコードワードをＵＥに対して送信することができる。一設計においては、ノードＢは、単一ユーザ多入力多出力(single user multiple-input multiple-output)（ＳＵ−ＭＩＭＯ）を用いて各ＨＡＲＱプロセスの中で２つのコードワードをＵＥに対して送信することができる。これらの設計では、ノードＢは、各ＨＡＲＱプロセスの中で１つまたは２つのコードワードを送信することができ、そしてＵＥは、１つのダウンリンクフェーズにおいてＮ個のダウンリンクサブフレームの中でゼロ個から２Ｎ個のコードワードを受信することができる。ＵＥは、すべてのコードワードについてのＡＣＫ情報を生成することができ、そして次のアップリンクフェーズにおいてアップリンクサブフレームの中でＡＣＫ情報を送信することができる。ＡＣＫ情報は、様々な方法で生成されることができる。
【００２６】
第１のＡＣＫ設計においては、ＡＣＫ情報は、各コードワードについてＡＣＫまたはＮＡＫを備えることができる。コードワードについてのＡＣＫ値は、以下：  
・  ０＝ＡＣＫ  →  コードワードは、正しく復号された、そして  
・  １＝ＮＡＫ  →  コードワードは、誤って復号された、  
のように、２つの可能な値のうちの一方に設定されることができる。
【００２７】
第１のＡＣＫ設計では、１ビットは、１つのコードワードを有する各ＨＡＲＱプロセスのために使用されることができ、そして２ビットは、２つのコードワードを有する各ＨＡＲＱプロセスのために使用されることができる。ＡＣＫ情報は、（ｉ）１つのコードワードが各ＨＡＲＱプロセスにおいて送信される場合のＮビットまでと、（ｉｉ）２つのコードワードが各ＨＡＲＱプロセスにおいて送信される場合の２Ｎビットまでと、を備えることができる。
【００２８】
第２のＡＣＫ設計においては、ＡＣＫ情報は、各コードワードについてのＡＣＫまたはＮＡＫ、ならびにダウンリンク割当てがＵＥによって受信されたかどうかについての表示を備えることができる。各ＨＡＲＱプロセスでは、そのＨＡＲＱプロセスについてのダウンリンク割当てが、ＵＥによって受信されなかった場合、ＵＥは、ＤＴＸ値を送信することができる。ダウンリンク割当てが受信された場合、そのときにはＵＥは、ＨＡＲＱプロセスにおいて送信される各コードワードについてＡＣＫまたはＮＡＫのいずれかを送信することができる。このＡＣＫ設計は、複数のＨＡＲＱプロセスについてＡＣＫ情報を送信するときのあいまいさを回避することができる。
【００２９】
第２のＡＣＫ設計では、１つのコードワードを有するＨＡＲＱプロセスについてのＡＣＫ値は、以下：  
・  ０＝ＤＴＸ  →  ＵＥは、ＰＤＣＣＨをなくしており、そしてダウンリンク割当てを受信しなかった、  
・  １＝ＡＣＫ  →  コードワードは、正しく復号された、そして  
・  ２＝ＮＡＫ  →  コードワードは、誤って復号された、  
のように、３つの可能な値のうちの１つに設定されることができる。
【００３０】
第２のＡＣＫ設計では、２つのコードワードを有するＨＡＲＱプロセスについてのＡＣＫ値は、以下：  
・  ０＝ＤＴＸ  →  ＵＥは、ＰＤＣＣＨをなくしており、そしてダウンリンク割当てを受信しなかった、  
・  １＝ＡＣＫ，ＡＣＫ  →  両方のコードワードは、正しく復号された、  
・  ２＝ＡＣＫ，ＮＡＫ  →  第１のコードワードだけが、正しく復号された、  
・  ３＝ＮＡＫ，ＡＣＫ  →  第２のコードワードだけが、正しく復号された、そして  
・  ４＝ＮＡＫ，ＮＡＫ  →  両方のコードワードが、誤って復号された、  
のように、５つの可能な値のうちの１つに設定されることができる。
【００３１】
一設計においては、各ＨＡＲＱプロセスについてのＡＣＫ値は、個別に符号化されることができる。第２のＡＣＫ設計では、２ビットは、１つのコードワードを有する各ＨＡＲＱプロセスのために使用されることができ、そして３ビットは、２つのコードワードを有する各ＨＡＲＱプロセスのために使用されることができる。別の設計においては、すべてのＨＡＲＱプロセスについてのＡＣＫ値は、一緒に符号化されることができる。第２のＡＣＫ設計では、Ｎ個のＨＡＲＱプロセスについてのＡＣＫ情報についての送信すべきビットの数は、以下：
【数１】
0005453264.tif 000003
【００３２】
のように表現されることができ、ここで、
【数２】
0005453264.tif 000004
【００３３】
は、シーリングオペレータ(ceiling operator)を示す。
【００３４】
すべてのＨＡＲＱプロセスについてのＡＣＫ値の共同符号化は、情報のすべてを搬送しながら、ＡＣＫ情報についての送信すべきビットの数を低減させることができる。一例として、１つのコードワード（または２つのコードワード）を有するＮ＝５個のＨＡＲＱプロセスでは、ＡＣＫ情報は、個別の符号化についての１０ビット（または１５ビット）、あるいは共同符号化についての８ビット（または１２ビット）のいずれかを備えることができる。共同符号化は、ダウンリンクとアップリンクとの間の極端な非対称を処理するためのスケーラブルな構造を提供することができ、そしてＡＣＫ情報ビットの数が増大するときに符号化利得を改善することができる。
【００３５】
一般に、ＡＣＫ情報は、任意数のＨＡＲＱプロセスにおいて送信される任意数のコードワードについて任意数のビットを備えることができる。以下の説明の大部分において、ＡＣＫ情報は、すべてのＨＡＲＱプロセスについてのＡＣＫ値を個別に、または一緒に符号化することにより得られることができるＮＡＣＫビットを備える。
【００３６】
ＣＱＩ情報についての送信すべきビットの数（ＮＣＱＩ）は、ＣＱＩ報告フォーマット、各ＨＡＲＱプロセスにおいて送信すべきコードワードの数、各ＣＱＩ値についての望ましい分解能など、様々なファクタに依存したものとすることができる。一設計においては、ＣＱＩ情報は、各コードワードについてのＣＱＩ値を備えることができ、これは、そのコードワードについての変調および符号化のスキームを選択するために使用されることができる。別の設計においては、ＣＱＩ情報は、（ｉ）第１のコードワードのＣＱＩ値に等しい基本ＣＱＩ値と、（ｉｉ）第１のコードワードと第２のコードワードとのＣＱＩ値の間の差に等しいデルタＣＱＩ値と、を備えることができる。ＣＱＩ情報はまた、他の情報を備えることもできる。ＣＱＩ情報は、ＮＣＱＩ＝８ビット、またはビットの何らかの他の数を含むことができる。
【００３７】
スケジューリング要求について送信すべきビットの数（ＮＳＲ）は、要求フォーマット、要求についての送信すべき情報のタイプ、望ましい分解能などに依存したものとすることができる。例えば、スケジューリング要求は、ＵＥによって送信すべきデータの量、要求されているリソースの量などを搬送することができる。簡単にするために、下記の説明のほとんどは、スケジューリング要求が、送信されず、その結果、ＮＳＲ＝０であることを仮定している。
【００３８】
一般に、ＵＥは、与えられたアップリンクサブフレームにおいて任意の制御情報をノードＢに対して送信することができる。簡単にするために、下記説明の大部分は、ＰＵＣＣＨ上の、ＡＣＫ情報だけ、またはＣＱＩ情報だけ、あるいはＡＣＫ情報とＣＱＩ情報との両方についての送信をカバーしている。
【００３９】
ＵＥは、様々な方法で制御情報（例えば、ＡＣＫ情報および／またはＣＱＩ情報）を送信することができる。複数のＵＥからの制御情報もまた、様々な方法で多重化されることができる。表２は、制御情報を送信するために使用されることができる３つの符号化および多重化のスキームを要約している。表２において、ＴＤ−ＦＤ−ＣＤＭは、時間ドメイン（ＴＤ）と周波数ドメイン（ＦＤ）との両方における符号分割多重化(code division multiplexing)（ＣＤＭ）を示す。ＦＤ−ＣＤＭは、周波数ドメインにおける符号分割多重化を示す。ＴＤ−ＣＤＭは、時間ドメインにおける符号分割多重化を示す。おのおのの符号化および多重化のスキームは、下記にさらに詳細に説明される。
【表２】
0005453264.tif 000005
【００４０】
図５は、符号化および多重化のスキーム１についての一例の構造５００を示している。正規巡回プレフィックスでは、各スロットは、７つのシンボル期間を含み、左スロットは、シンボル期間０から６を含み、そして右スロットは、シンボル期間７から１３を含む。１つまたは複数のＵＥは、（ｉ）図５に示されるような、左スロットの上半分の中の１つのリソースブロック、および右スロットの下半分の中の１つのリソースブロック、あるいは（ｉｉ）左スロットの下半分の中の１つのリソースブロック、および右スロットの上半分の中の１つのリソースブロック（図５における対角線ハッシングを用いて示される）のいずれかを含むリソースブロック対上で制御情報を同時に送信することができる。
【００４１】
図５に示される設計においては、各リソースブロックは、制御データについての４つのシンボル期間と、パイロットについての３つのシンボル期間と、を含む。制御データは、シンボル期間０、１、５および６の中で送信され、そしてパイロットは、各リソースブロックのシンボル期間２、３および４の中で送信される。
【００４２】
ＵＥは、良好な相関特性を有する基準信号シーケンスを使用して制御データとパイロットとを送信することができる。異なるＵＥは、異なる基準信号シーケンスを使用して同じリソースブロック上で制御データとパイロットとを同時に送信することができ、この基準信号シーケンスは、基本シーケンスｒｂ（ｎ）を用いて生成されることができる。基本シーケンスは、ザルドフ−チュー(Zardoff-Chu)（ＺＣ）シーケンス、単位の大きさと疑似ランダムフェーズを有するシーケンスなどのＣＡＺＡＣ（一定振幅ゼロ自動相関(constant amplitude zero auto correlation)）シーケンスとすることができる。
【００４３】
ＵＥについての基準信号シーケンスｒ（ｎ）は、次式：
ｒ（ｎ）＝ｅｊα・ｎ・ｒｂ（ｎ）    式（２）
のように基本シーケンスｒｂ（ｎ）を巡回的にシフトすることにより得られることができ、ここでαは、ＵＥに対して割り当てられた巡回シフトである。
【００４４】
ＵＥは、制御情報、例えば、ＡＣＫ情報、について１つの変調シンボルｄを生成することができる。ＵＥは、被変調基準信号シーケンスｄ・ｒ（ｎ）を得るために変調シンボルｄを用いてその基準信号シーケンスｒ（ｎ）を変調することができる。次いで、ＵＥは、次式：
ｚｍ（ｎ）＝ｄ・ｗｍ・ｒ（ｎ）    式（３）
のように、データシーケンスｚｍ（ｎ）を得るために直交シーケンスｗｍを用いて被変調基準信号シーケンスを拡散することができ、ここでｎは、周波数インデックスであり、ｍは、時間インデックスである。
【００４５】
ＵＥは、直交シーケンスｗｍの４つのシンボルｗ０、ｗ１、ｗ２およびｗ３をそれぞれ用いて被変調基準信号シーケンスを拡散することにより４つのデータシーケンスｚ０（ｎ）、ｚ１（ｎ）、ｚ２（ｎ）およびｚ３（ｎ）を得ることができる。ＵＥは、図５に示されるように、左スロットの中のシンボル期間０、１、５および６においてそれぞれ、そして右スロットの中のシンボル期間７、８、１２および１３においてそれぞれ、データシーケンスｚ０（ｎ）、ｚ１（ｎ）、ｚ２（ｎ）およびｚ３（ｎ）を送信することができる。
【００４６】
ＵＥは、次式：
ｐｍ（ｎ）＝ｖｍ・ｒ（ｎ）    式（４）
のように、パイロットシーケンスｐｍ（ｎ）を得るために直交シーケンスｖｍを用いてその基準信号シーケンスｒ（ｎ）を拡散することもできる。
【００４７】
ＵＥは、直交シーケンスｖｍの３つのシンボルｖ０、ｖ１およびｖ２をそれぞれ用いて基準信号シーケンスを拡散することにより、３つのパイロットシーケンスｐ０（ｎ）、ｐ１（ｎ）およびｐ２（ｎ）を得ることができる。ＵＥは、図５に示されるように、左スロットの中のシンボル期間２、３および４においてそれぞれ、そして右スロットの中のシンボル期間９、１０および１１においてそれぞれ、パイロットシーケンスｐ０（ｎ）、ｐ１（ｎ）およびｐ２（ｎ）を送信することができる。
【００４８】
直交シーケンスは、直交符号、ウォルシュ符号(Walsh codes)、拡散符号などと称されることもできる。長さＬのＬ個の直交シーケンスが、Ｌ×ＬのＤＦＴ行列のＬ列から得られることができ、ここでＬは、任意の整数値とすることができる。Ｌが、２の累乗である場合、そのときには長さＬのＬ個のウォルシュシーケンスが、Ｌ個の直交シーケンスについて使用されることができる。
【００４９】
拡張巡回プレフィックスでは、各スロットは、６つのシンボル期間を含み、左スロットは、シンボル期間０から５を含み、そして右スロットは、シンボル期間６から１１を含む。各リソースブロックは、制御データについての４つのシンボル期間０、１、４および５と、パイロットについての２つのシンボル期間２および３とを含むことができる。
【００５０】
異なるＵＥは、同じ基本シーケンスｒｂ（ｎ）の異なる巡回シフトを用いて生成される異なる基準信号シーケンスを割り当てられることができる。これらの基準信号シーケンスは、ＣＡＺＡＣ特性に起因して互いに直交することになり、そしてＦＤ−ＣＤＭを達成するために１つのシンボル期間の中で同じ組のサブキャリア上で同時に送信されることができる。巡回シフトの数は、チャネル遅延拡散に依存していてもよい。より多くの巡回シフトが、より短いチャネル遅延拡散についてサポートされることができ、逆もまた同様である。
【００５１】
異なるＵＥは、同じ基準信号シーケンスであるが、但し異なる直交シーケンスを割り当てられることもできる。各ＵＥは、そのＵＥに割り当てられる直交シーケンスを用いてその基準信号シーケンスを拡散することができる。これらのＵＥについての拡散基準信号シーケンスは、ＴＤ−ＣＤＭを達成するために同じリソースブロックの中でシンボル期間を通して同時に送信されることができる。直交シーケンスの数は、これらのシーケンスの長さによって決定され（例えば、等しくされ）、これは次にはチャネルドップラー拡散(channel Doppler spread)に依存する可能性がある。より短い直交シーケンスが、高いドップラー拡散について使用されることができ、そして逆もまた同様である。
【００５２】
同じリソースブロック上でそれらの制御データを同時に送信することができるＵＥの数は、巡回シフトの数、ならびに制御データについての直交シーケンスの数によって決定されることができる。同様に、同じリソースブロック上でそれらのパイロットを同時に送信することができるＵＥの数は、巡回シフトの数、ならびにパイロットについての直交シーケンスの数によって決定されることができる。各ＵＥは、図５に示されるように、制御データならびにパイロットを送信することができる。同じリソースブロックの中で多重化されることができるＵＥの数は、（ｉ）それらの制御データを同時に送信することができるＵＥの数と、（ｉｉ）それらのパイロットを同時に送信することができるＵＥの数と、のうちの小さい方によって決定されることができる。
【００５３】
図６は、符号化および多重化のスキーム２についての一例の構造６００を示している。図６に示される設計においては、各リソースブロックは、制御データについての５つのシンボル期間と、パイロットについての２つのシンボル期間と、を含む。パイロットは、各リソースブロックのシンボル期間１および５の中で送信され、そして制御データは、残りの５つのシンボル期間の中で送信される。
【００５４】
ＵＥは、制御情報（例えば、ＣＱＩ情報だけ、またはＡＣＫ情報とＣＱＩ情報との両方）を処理し、そして１０個の変調シンボルｄ０からｄ９を生成することができる。ＵＥは、次式：
ｚｍ（ｎ）＝ｄｍ・ｒ（ｎ）    式（５）
のように、１０個のデータシーケンスｚｍ（ｎ）を得るために１０個の変調シンボルを用いてその基準信号シーケンスｒ（ｎ）を変調することができる。
【００５５】
ＵＥは、左スロットの中で、シンボル期間０、２、３、４および６においてそれぞれデータシーケンスｚ０（ｎ）、ｚ１（ｎ）、ｚ２（ｎ）、ｚ３（ｎ）およびｚ４（ｎ）を送信することができる。ＵＥは、図６に示されるように、右スロットはの中で、シンボル期間７、９、１０、１１および１３においてそれぞれデータシーケンスｚ５（ｎ）、ｚ６（ｎ）、ｚ７（ｎ）、ｚ８（ｎ）およびｚ９（ｎ）を送信することができる。ＵＥは、基準信号シーケンスｒ（ｎ）をパイロットシーケンスｐ（ｎ）として使用することができる。ＵＥは、図６に示されるように、左スロットの中のシンボル期間１および５において、そして右スロットの中のシンボル期間８および１２において、パイロットシーケンスを送信することができる。
【００５６】
異なるＵＥは、同じ基本シーケンスｒｂ（ｎ）の異なる巡回シフトを用いて生成される異なる基準信号シーケンスを割り当てられることができる。各ＵＥは、制御データについてのその変調シンボルを用いてその基準信号シーケンスを変調することができ、そしてその基準信号シーケンスをパイロットとして送信することができる。同じリソースブロック対でそれらの制御情報を同時に送信することができるＵＥの数は、巡回シフトの数によって決定されることができる。例えば、６つまでのＵＥが、６つの巡回シフトを有する同じリソースブロック対上で多重化されることができる。
【００５７】
図７は、符号化および多重化のスキーム３についての一例の構造７００を示している。図７に示される設計においては、各リソースブロックは、制御データについての４つのシンボル期間と、パイロットについての３つのシンボル期間と、を含む。制御データは、シンボル期間０、１、５および６の中で送信され、そしてパイロットは、各リソースブロックのシンボル期間２、３および４の中で送信される。
【００５８】
ＵＥは、制御情報（例えば、ＡＣＫ情報および／またはＣＱＩ情報）を処理し、そしてＳ個までの変調シンボルｄｉを生成することができる。ＵＥは、次式：
ｓ（ｎ）＝ＤＦＴ｛ｄｉ｝    式（６）
のように、Ｓ個の周波数ドメインシンボルｓ（ｎ）を得るためにＳ−ポイントのＤＦＴを用いて周波数を通して変調シンボルｄｉを拡散することができ、ここで、ｉは、時間インデックスであり、ｎは、周波数インデックスであり、そしてＤＦＴ｛  ｝は、ＤＦＴ関数を示している。
【００５９】
ＵＥは、次式：
ｚｍ（ｎ）＝ｗｍ・ｓ（ｎ）    式（７）
のように、データシーケンスｚｍ（ｎ）を得るために直交シーケンスｗｍを用いてＳ個の周波数ドメインシンボルの組を拡散することができる。
【００６０】
一設計においては、ＵＥは、直交シーケンスｗｍの４つのシンボルｗ０、ｗ１、ｗ２およびｗ３をそれぞれ用いてＳ個の周波数ドメインシンボルの組を拡散することにより４つのデータシーケンスｚ０（ｎ）、ｚ１（ｎ）、ｚ２（ｎ）およびｚ３（ｎ）を得ることができる。ＵＥは、左スロットの中でシンボル期間０、１、５および６においてそれぞれデータシーケンスｚ０（ｎ）、ｚ１（ｎ）、ｚ２（ｎ）およびｚ３（ｎ）を送信することができる。一設計においては、ＵＥは、図７に示されるように、右スロットの中でシンボル期間７、８、１２および１３においてそれぞれ４つのデータシーケンスｚ０（ｎ）、ｚ１（ｎ）、ｚ２（ｎ）およびｚ３（ｎ）を送信することもできる。別の設計においては、ＵＥは、追加の制御情報を有する４つの追加のデータシーケンスｚ４（ｎ）、ｚ５（ｎ）、ｚ６（ｎ）およびｚ７（ｎ）を生成することができ、そしてそれぞれシンボル期間７、８、１２および１３においてこれらのデータシーケンスを送信することができる。
【００６１】
ＵＥは、式（４）に示されるように、パイロットシーケンスを得るために直交シーケンスｖｍを用いて基準信号シーケンスを拡散することもできる。ＵＥは、図７に示されるように、左スロットの中でシンボル期間２、３および４において、そして右スロットの中でシンボル期間９、１０および１１において、そのパイロットシーケンスを送信することができる。
【００６２】
異なるＵＥは、制御データとパイロットとについての異なる直交シーケンスを割り当てられることができる。各ＵＥは、制御データについてのその直交シーケンスを用いて時間を通してそのＤＦＴ拡散データを拡散することができる。各ＵＥは、パイロットについてのその直交シーケンスを用いて時間を通してその基準信号シーケンスを拡散することもできる。同じリソースブロック対においてそれらの制御情報を同時に同時に送信することができるＵＥの数は、制御データについての直交シーケンスの数と、パイロットについての直交シーケンスの数と、によって決定されることができる。
【００６３】
符号化および多重化のスキーム１は、少量の制御情報、例えば１つのＨＡＲＱプロセスについての１ビットまたは２ビットのＡＣＫ情報、を送信するために使用されることができる。図５に示されるように、１つの変調シンボルは、その変調シンボルを用いて基準信号シーケンスを変調することと、直交シーケンスを用いて時間を通して被変調基準信号シーケンスを拡散することとによって１つのリソースブロック対の中で送信されることができる。
【００６４】
符号化および多重化のスキーム２は、中程度の量の制御情報、例えば約２０ビットのＣＱＩ情報、またはＡＣＫ情報とＣＱＩ情報との両方、を送信するために使用されることができる。図６に示されるように、１０個の変調シンボルは、これらの変調シンボルを用いて基準信号シーケンスを変調することにより１つのリソースブロック対の中で送信されることができる。
【００６５】
符号化および多重化のスキーム３は、中程度から多大な量の制御情報、例えば２０ビット以上のＡＣＫ情報および／またはＣＱＩ情報、を送信するために使用されることができる。図７に示されるように、制御情報は、ＤＦＴを用いて周波数を通して拡散され、そしてさらに直交シーケンスを用いて時間を通して拡散されることができる。
【００６６】
異なる符号化および多重化のスキームは、異なるシステムコンフィギュレーションと、異なる制御情報とのために使用されることができる。表３は、一設計に従って６つのシナリオＡからＦについての符号化および多重化のスキームを与えるものである。各シナリオは、特定のシステムコンフィギュレーション（１：ＭまたはＮ：Ｍ）と、送信すべき１つまたは複数のタイプの制御情報とに対応する。
【表３】
0005453264.tif 000006
【００６７】
シナリオＡでは、符号化および多重化のスキーム１は、１：ＭコンフィギュレーションにおいてＡＣＫ情報だけを送信するために使用されることができる。シナリオＡにおいては、ＵＥは、１つのＨＡＲＱプロセスについての１ビットまたは２ビットのＡＣＫ情報を送信することができる。符号化および多重化のスキーム１は、より多くのＵＥが、同じリソースブロック対の中で多重化されることを可能にすることができる。
【００６８】
一設計において、正規巡回プレフィックスでは、各リソースブロックは、４つのデータシンボルと、３つのパイロットシンボルとを含むことができ、そしてＤＤＰＰＰＤＤのフォーマットを有することができ、ここで「Ｄ」は、図５に示されるように、データシンボルを示し、そして「Ｐ」は、パイロットシンボルを示す。一設計においては１８個までのＵＥが、以下：  
・  ＦＤ−ＣＤＭの場合の６つの巡回シフトと、  
・  ＴＤ−ＣＤＭの場合のシンボル（０、１、５、６）の中のデータについての長さ４の３つの直交符号と、  
・  ＴＤ−ＣＤＭの場合のシンボル（２、３、４）の中のパイロットについての長さ３の３つの直交符号と、  
を用いて、ティピカルアーバン(typical urban)（ＴＵ）チャネルと、低ドップラーとにおいて多重化されることができる。
【００６９】
一設計において、正規巡回プレフィックスでは、１２個までのＵＥが、以下：  
・  ＦＤ−ＣＤＭの場合の６つの巡回シフトと、  
・  シンボル（０、１）とシンボル（５、６）との中のデータについての長さ２の２つの直交符号と、  
・  シンボル（２、３、４）の中のパイロットについての長さ３の２つの直交符号と、  
を用いて、ＴＵチャネルと、高ドップラーとにおいて多重化されることができる。
【００７０】
一設計において、拡張巡回プレフィックスでは、各リソースブロックは、４つのデータシンボルと、２つのパイロットシンボルとを含むことができ、そしてＤＤＰＰＤＤのフォーマットを有することができる。一設計においては、８つまでのＵＥが、以下：  
・  ＦＤ−ＣＤＭの場合の４つの巡回シフトと、  
・  ＴＤ−ＣＤＭの場合のシンボル（０、１）とシンボル（４、５）との中のデータについての、そしてまたシンボル（２、３）の中のパイロットについての、長さ２の２つの直交符号と、  
を用いて、ビヒクル−Ｂ(vehicle-B)チャネルと、低ドップラーまたは高ドップラーとにおいて多重化されることができる。
【００７１】
表４は、シナリオＡについて符号化および多重化のスキーム１を用いてＡＣＫ情報だけを送信するための様々なパラメータ値をリストアップしたものである。
【表４】
0005453264.tif 000007
【００７２】
シナリオＢでは、符号化および多重化のスキーム３は、Ｎ：ＭコンフィギュレーションにおいてＡＣＫ情報だけを送信するために使用されることができる。シナリオＢにおいては、ＵＥは、Ｎ個までのＨＡＲＱプロセスについてＮＡＣＫビットのＡＣＫ情報を送信することができ、ここでＮＡＣＫは、共同符号化の場合に式（１ａ）または（１ｂ）に示されるように与えられることができる。符号化および多重化のスキーム３は、ＵＥが、１つのリソースブロック対においてより多くのＨＡＲＱプロセスについてＡＣＫ情報を送信することを可能にすることができる。
【００７３】
シナリオＣからＦでは、符号化および多重化のスキーム３は、ＣＱＩ情報だけ、またはＡＣＫ情報とＣＱＩ情報との両方を送信するために使用されることができる。これらのシナリオでは、ＵＥは、Ｎ個までのＨＡＲＱプロセスについて、ＮＣＱＩビットのＣＱＩ情報と、ＮＡＣＫビットまでのＡＣＫ情報と、を送信することができる。符号化および多重化のスキーム３は、ＵＥが、シナリオＣからＦのおのおのについて１つのリソースブロック対においてすべての制御情報を送信することを可能にすることができる。一代替設計においては、符号化および多重化のスキーム２が、シナリオＣおよびＤについて使用されることができ、そして符号化および多重化のスキーム３が、シナリオＥおよびＦについて使用されることができる。そのときには、ＵＥは、すべての６つのシナリオについてすべての３つの符号化および多重化のスキーム１、２および３をサポートすることを必要とすることになる。表３における設計は、ＵＥが、すべての６つのシナリオについて符号化および多重化のスキーム１と３とだけをサポートすることを可能にすることができる。
【００７４】
一設計において、正規巡回プレフィックスでは、各リソースブロックは、４つのデータシンボルと、３つのパイロットシンボルとを含むことができ、そしてＤＤＰＰＰＤＤのフォーマットを有することができる。一設計においては、３つまでのＵＥが、以下：  
・  ＴＤ−ＣＤＭの場合のシンボル（０、１、５、６）の中のデータについての長さ４の３つの直交符号と、  
・  ＴＤ−ＣＤＭの場合のシンボル（２、３、４）の中のパイロットについての長さ３の３つの直交符号と、  
を用いて低ドップラーにおいて多重化されることができる。
【００７５】
一設計において、正規巡回プレフィックスでは、２つまでのＵＥが、以下：  
・  シンボル（０、１）とシンボル（５、６）との中のデータについての長さ２の２つの直交符号と、  
・  シンボル（２、３、４）の中のパイロットについての長さ３の２つの直交符号と、  
を用いて高ドップラーにおいて多重化されることができる。
【００７６】
一設計において、拡張巡回プレフィックスでは、各リソースブロックは、４つのデータシンボルと、２つのパイロットシンボルとを含むことができ、そしてＤＤＰＰＤＤのフォーマットを有することができる。一設計においては、２つまでのＵＥが、以下：  
・  シンボル（０、１）とシンボル（４、５）との中のデータについての、そしてまたシンボル（２、３）の中のパイロットについての、長さ２の２つの直交符号、  
を用いて低ドップラーまたは高ドップラーにおいて多重化されることができる。
【００７７】
表５は、シナリオＢからＦについて符号化および多重化のスキーム３を用いてＣＱＩ情報だけ、またはＡＣＫ情報とＣＱＩ情報との両方を送信するための様々なパラメータ値をリストアップしたものである。
【表５】
0005453264.tif 000008
【００７８】
別の設計において、正規巡回プレフィックスでは、各リソースブロックは、図６に示されるように、５つのデータシンボルと、２つのパイロットシンボルとを含むことができ、そしてＤＰＤＤＤＰＤのフォーマットを有することができる。一設計においては、２つまでのＵＥが、以下：  
・  シンボル（０、２、３、４、６）の中のデータについての長さ５の２つの直交符号と、  
・  シンボル（１、５）の中のパイロットについての長さ２の２つの直交符号と、  
を用いて低ドップラーにおいて多重化されることができる。
【００７９】
別の設計において、拡張巡回プレフィックスでは、各リソースブロックは、５つのデータシンボルと、１つのパイロットシンボルとを含むことができ、そしてＤＤＤＰＤＤのフォーマットを有することができる。一設計においては、１つのＵＥが、以下：  
・  シンボル（０、１、２、４、５）の中のデータについての長さ５の１つの直交符号、  
を用いて低ドップラーにおいて多重化されることができる。
【００８０】
さらに別の設計において、正規巡回プレフィックスでは、各リソースブロックは、７つのデータシンボルを含み、パイロットシンボルを含まないことができ、そしてＤＤＤＤＤＤＤのフォーマットを有することができる。一設計においては、７つまでのＵＥが、以下：  
・  シンボル（０、１、２、３、４、５，６）の中のデータについての長さ７の７つの直交符号、  
を用いて低ドップラーにおいて多重化されることができる。
【００８１】
拡張巡回プレフィックスでは、各リソースブロックは、６つのデータシンボルを含み、パイロットシンボルを含まないことができ、そしてＤＤＤＤＤＤのフォーマットを有することができる。一設計においては、６つまでのＵＥは、以下：  
・  シンボル（０、１、２、３、４、５）の中のデータについての長さ６の６つの直交符号、  
を用いて低ドップラーにおいて多重化されることができる。
【００８２】
表３のシナリオＢからＦにおける符号化および多重化のスキーム３では、１つのリソースブロック対においてパイロットを同時に送信することができるＵＥの数は、異なる巡回シフトを使用することにより増大されることができる。１つのリソースブロック対において制御データを同時に送信することができるＵＥの数は、より多くの直交シーケンスを使用することにより増大されることができる。
【００８３】
別の設計において、リソースブロックフォーマットＤＤＰＰＰＤＤを有する正規巡回プレフィックスでは、４つまでのＵＥが、以下：  
・  シンボル（０、１、５，６）の中のデータについての長さ４の４つの直交符号と、  
・  シンボル（２、３、４）の中のパイロットについての２つの巡回シフト、および長さ３の２つの直交符号と、  
を用いて低ドップラーにおいて多重化されることができる。
【００８４】
一設計において、正規巡回プレフィックスでは、４つまでのＵＥが、以下：  
・  ２つのＵＥについてのシンボル（０、１）の中のデータについての長さ２の２つの直交符号と、  
・  ２つの他のＵＥについてのシンボル（５、６）の中のデータについての長さ２の２つの直交符号と、  
・  シンボル（２、３、４）の中のパイロットについての２つの巡回シフト、および長さ３の２つの直交符号と、  
を用いて高ドップラーにおいて多重化されることができる。
【００８５】
一設計において、リソースブロックフォーマットＤＤＰＰＤＤを有する拡張巡回プレフィックスでは、４つまでのＵＥが、以下：  
・  ２つのＵＥについてのシンボル（０、１）の中のデータについての長さ２の２つの直交符号と、  
・  ２つの他のＵＥについてのシンボル（４、５）の中のデータについての長さ２の２つの直交符号と、  
・  シンボル（２、３）の中のパイロットについての２つの巡回シフト、および長さ３の２つの直交符号と、  
を用いて低ドップラーまたは高ドップラーにおいて多重化されることができる。
【００８６】
一般に、各リソースブロックは、任意数のデータシンボルと、任意数のパイロットシンボルと、を含むことができ、そして任意のフォーマットを有することができる。いくつかのリソースブロックフォーマットについての符号化および多重化のスキーム１および３についての設計の例は、上記に説明されている。符号化および多重化のスキーム１および３は、他のリソースブロックフォーマットについての他の設計を用いてインプリメントされることもできる。
【００８７】
ＵＥは、符号化および多重化のスキーム３を用いてより多くの制御情報を送信することができる可能性がある。一例として、表５における低ドップラーを有する正規巡回プレフィックスでは、ＵＥは、２４ビットの符号ビットを得るために１２ビットのＡＣＫ情報ビットを符号化することができ、そしてこれらの符号ビットを１２個の変調シンボルへとマッピングすることができる。ＵＥは、１２個の周波数ドメインシンボルを得るために１２個の変調シンボル上で１２−ポイントＤＦＴを実行することができる。次いでＵＥは、長さ４の直交シーケンスを用いて４つのシンボル期間を通してこれら１２個の周波数ドメインシンボルを拡散することができる。ＵＥは、より短い直交シーケンスを使用することにより、より多くのＡＣＫ情報ビットを送信することができる可能性がある。例えば、ＵＥは、長さ２の直交シーケンスを用いてシンボル期間０および１において１２個の変調シンボルを送信することができ、そして同じ直交シーケンスを用いてシンボル期間５および６において別の１２個の変調シンボルを送信することができる。
【００８８】
表４および５に示される設計は、符号化および多重化のスキーム３を使用するＵＥの、同じリソースブロック上で符号化および多重化のスキーム１を使用するＵＥとの多重化を可能にする。これらのＵＥは、それらの直交シーケンスに基づいて分離されることができる。与えられたリソースブロックでは、任意数の直交シーケンスが、符号化および多重化のスキーム３を使用するＵＥに対して割り当てられることができ、そして残りの直交シーケンスは、符号化および多重化のスキーム１を使用するＵＥに対して割り当てられることができる。
【００８９】
上記に説明された設計のほとんどでは、低ドップラーを有するより多くのＵＥは、より長い長さのより多くの直交シーケンスと、１つのリソースブロック上で多重化されることができる。逆に、高ドップラーを有するより少ないＵＥは、より短い長さのより少ない直交シーケンスと、１つのリソースブロック上で多重化されることができる。一設計においては、低ドップラーＵＥと高ドップラーＵＥとは、より短い長さの直交シーケンスを使用することにより同じリソースブロックにおいて多重化されることができる。別の設計においては、低ドップラーＵＥと高ドップラーＵＥとは、異なる長さの直交シーケンスを使用することにより多重化されることができる。一例として、与えられたリソースブロックでは、１つの高ドップラーＵＥは、直交シーケンス「００」を割り当てられることができ、そして３つの低ドップラーＵＥは、直交シーケンス「０１０１」、「００１１」および「０１１０」を割り当てられることができる。
【００９０】
ＴＤＤシステムでは、ダウンリンクとアップリンクとは、同じ周波数チャネルを共用し、そしてダウンリンクチャネル応答は、アップリンクチャネル応答と相互に関連づけられることができる。ダウンリンク上のＭＩＭＯ送信は、ＴＤＤシステムにおいていくつかの方法でサポートされることができる。
【００９１】
第１の設計においては、ＵＥは、ノードＢについて、例えば、ノードＢから受信されるセル特有の基準信号に基づいて、ダウンリンクＭＩＭＯチャネル、ならびにダウンリンクノイズおよび干渉を推定することができる。ＵＥは、ダウンリンクＭＩＭＯチャネル推定値と、ノイズおよび干渉の推定値とに基づいて事前符号化行列と送信すべきコードワードの数とを選択することができる。ＵＥは、選択された事前符号化行列と、ダウンリンクＭＩＭＯチャネル推定値と、雑音および干渉の推定値とに基づいて各コードワードについての信号対雑音比(signal-to-noise ratio)（ＳＮＲ）を決定することができる。ＵＥは、あらかじめ決定されたマッピングに基づいて各コードワードについてのＳＮＲをＣＱＩ値に変換することができる。ＵＥは、対象となる(of interest)各サブバンドについてその処理を反復することができる。ＵＥは、対象となる各サブバンドについて事前符号化行列インジケータ(precoding matrix indicator)（ＰＭＩ）情報とＣＱＩ情報とを備えるフィードバック情報を送信することができる。ノードＢは、ＵＥから受信されるフィードバック情報に基づいてトラフィックデータをＵＥに対して送信することができる。
【００９２】
第２の設計においては、ＵＥは、サウンディング基準信号であるがＣＱＩ情報ではないものをノードＢへと定期的に送信することができる。ノードＢは、サウンディング基準信号に基づいてアップリンクＭＩＭＯチャネル、ならびにＵＥについてのアップリンク雑音および干渉を推定することができる。ノードＢは、ダウンリンクＭＩＭＯチャネルが、ＴＤＤシステムにおけるチャネル相反性(channel reciprocity)に起因してアップリンクＭＩＭＯチャネルとマッチすることを仮定することができる。ノードＢは、ＵＥにおけるダウンリンクの雑音および干渉が、ノードＢにおけるアップリンクの雑音および干渉とマッチすることを仮定することもできる。ノードＢは、アップリンクＭＩＭＯチャネル推定値と、アップリンクの雑音および干渉の推定値とに基づいて事前符号化行列と送信すべきコードワードの数とを選択することができる。ノードＢは、選択された事前符号化行列と、アップリンクＭＩＭＯチャネル推定値と、アップリンクの雑音および干渉の推定値とに基づいて各コードワードについてのＳＮＲを決定することもできる。次いでノードＢは、事前符号化行列と各コードワードについてのＳＮＲとに基づいてトラフィックデータをＵＥに対して送信することができる。この設計は、フィードバックオーバーヘッドを低減させることができ、そして効果的なＣＱＩループ遅延を低減させることもできる。
【００９３】
第３の設計においては、ＵＥは、サウンディング基準信号と、ＣＱＩ情報とを定期的にノードＢへと送信することができる。ＵＥは、事前符号化なしにＳＮＲを推定することができ、そして事前符号化されていないＳＮＲについてのＣＱＩ情報を送信することができる。ノードＢは、サウンディング基準信号に基づいてアップリンクＭＩＭＯチャネル、ならびにＵＥについてのアップリンクの雑音および干渉を推定することができる。ノードＢは、ダウンリンクＭＩＭＯチャネルが、ＴＤＤシステムにおけるチャネル相反性に起因してアップリンクＭＩＭＯチャネルとマッチすることを仮定することができる。ノードＢは、ＵＥによって報告されるＳＮＲと、ノードＢによって得られるアップリンクの雑音および干渉の推定値とに基づいてダウンリンクの雑音および干渉と、アップリンクの雑音および干渉とにおける非対称性を決定することができる。次いでノードＢは、アップリンクの雑音および干渉の推定値と、ダウンリンク／アップリンクの非対称性とに基づいてＵＥについてのダウンリンクの雑音および干渉を推定することができる。ノードＢは、アップリンクＭＩＭＯチャネル推定値と、ダウンリンクの雑音および干渉の推定値とに基づいて事前符号化行列と送信すべきコードワードの数とを選択することができる。ノードＢは、選択された事前符号化行列と、アップリンクＭＩＭＯチャネル推定値と、ダウンリンクの雑音および干渉の推定値とに基づいて各コードワードについてのＳＮＲを決定することもできる。次いでノードＢは、事前符号化行列と各コードワードについてのＳＮＲとに基づいてトラフィックデータをＵＥに対して送信することができる。
【００９４】
図８は、図１におけるノードＢのうちの１つと、ＵＥのうちの１つとすることができるノードＢ１１０と、ＵＥ１２０との一設計のブロック図を示している。この設計においては、ＵＥ１２０は、Ｔ個のアンテナ８３２ａから８３２ｔを用いて装備され、ノードＢ１１０は、Ｒ個のアンテナ８５２ａから８５２ｒを用いて装備され、ここで一般にＴ≧１であり、そしてＲ≧１である。
【００９５】
ＵＥ１２０において、送信プロセッサ８２０は、データソース８１２からトラフィックデータを受け取り、そのトラフィックデータを処理し（例えば、符号化し、そしてシンボルマッピングし）、そしてデータシンボルを供給する。送信プロセッサ８２０は、コントローラ／プロセッサ８４０からも制御情報（例えば、ＡＣＫ情報および／またはＣＱＩ情報）を受け取り、その制御情報を処理し、そして制御シンボルを供給することができる。送信プロセッサ８２０は、パイロットシンボル（例えば、パイロットシーケンスについての）を生成することもでき、そしてそれらのパイロットシンボルをデータシンボルおよび制御シンボルと多重化することができる。ＭＩＭＯプロセッサ８２２は、送信プロセッサ８２０からのシンボルを処理し（例えば、事前符号化し）、そしてＴ個の出力シンボルストリームをＴ個の変調器（ＭＯＤ）８３０ａから８３０ｔへと供給することができる。各変調器８３０は、出力サンプルストリームを得るためにその出力シンボルストリーム（例えば、ＳＣ−ＦＤＭについての）を処理することができる。各変調器８３０は、さらに、アップリンク信号を生成するためにその出力サンプルストリームを条件づける（例えば、アナログに変換する、フィルタをかける、増幅する、そしてアップコンバートする）ことができる。変調器８３０ａから８３０ｔからのＴ個のアップリンク信号は、それぞれＴ個のアンテナ８３２ａから８３２ｔを経由して送信されることができる。
【００９６】
ノードＢ１１０において、アンテナ８５２ａから８５２ｒは、ＵＥ１２０および／または他のＵＥからアップリンク信号を受信することができる。各アンテナ８５２は、受信信号を関連する復調器(demodulator)（ＤＥＭＯＤ）８５４に対して供給することができる。各復調器８５４は、サンプルを得るためにその受信信号を条件づける（例えば、フィルタをかける、増幅する、ダウンコンバートする、そしてデジタル化する）ことができ、そしてさらに、受信シンボルを得るためにサンプル（例えば、ＳＣ−ＦＤＭについての）を処理することができる。ＭＩＭＯ検出器８５６は、すべてのＲ個の復調器８５４ａから８５４ｒからの受信シンボル上でＭＩＭＯ検出を実行し、そして検出されたシンボルを供給することができる。受信プロセッサ８６０は、検出されたシンボルを処理し（例えば、復調し、そして復号し）、復号されたトラフィックデータをデータシンク８６２へと供給し、そして復号された制御情報をコントローラ／プロセッサ８７０へと供給することができる。
【００９７】
ノードＢ１１０は、ダウンリンク上でトラフィックデータと、制御情報と、基準信号とをＵＥ１２０および／または他のＵＥへと送信することができる。データソース８７８からのトラフィックデータ、および／またはコントローラ／プロセッサ８７０からの制御情報は、Ｒ個の出力シンボルストリームを得るために、送信プロセッサ８８０によって処理され、そしてＭＩＭＯプロセッサ８８２によって事前符号化されることができる。Ｒ個の変調器８５４ａから８５４ｒは、Ｒ個の出力サンプルストリームを得るためにＲ個の出力シンボルストリーム（例えば、ＯＦＤＭについての）を処理することができ、そしてさらに、Ｒ個のダウンリンク信号を得るために出力サンプルストリームを条件づけることができ、これらのダウンリンク信号は、Ｒ個のアンテナ８５２ａから８５２ｒを経由して送信されることができる。ＵＥ１２０において、ノードＢ１１０からのダウンリンク信号は、アンテナ８３２ａから８３２ｔによって受信され、復調器８３０ａから８３０ｔによって条件づけられ、そして処理され、そしてさらに、ＵＥ１２０に送信されるトラフィックデータと制御情報とを復元するためにＭＩＭＯ検出器８３６（もし適用可能なら）と受信プロセッサ８３８とによって処理されることができる。受信プロセッサ８３８は、復号されたトラフィックデータをデータシンク８３９へと供給し、そして復号された制御情報をコントローラ／プロセッサ８４０へと供給することができる。
【００９８】
コントローラ／プロセッサ８４０および８７０は、それぞれＵＥ１２０およびノードＢ１１０においてオペレーションを指示することができる。メモリ８４２および８７２は、それぞれＵＥ１２０およびノードＢ１１０についてデータとプログラムコードとを記憶することができる。スケジューラ８７４は、ダウンリンクおよび／またはアップリンク上でのデータ送信のためにＵＥをスケジュールすることができ、そしてスケジュールされたＵＥに対してリソースを割り当てることができる。スケジューラ８７４は、制御情報の送信のためにＵＥに対してリソースを割り当てることもできる。リソースは、リソースブロック、制御データについての直交シーケンス、パイロットについての直交シーケンス、基準信号シーケンスなどを備えることができる。
【００９９】
図９は、符号化および多重化のスキーム１についての送信プロセッサ９２０の一設計のブロック図を示している。送信プロセッサ９２０は、図８の中のＵＥ１２０における送信プロセッサ８２０の一部分とすることができる。送信プロセッサ９２０内において、シンボルマッパー(symbol mapper)９２４は、ＡＣＫ情報を変調シンボルに対してマッピングすることができる。乗算器(multiplier)９２６は、変調シンボルを用いて基準信号シーケンスｒ（ｎ）を乗算し、そして被変調基準信号シーケンスを供給することができる。時間拡散器(time spreader)９２８は、例えば、式（３）に示されるように、制御データについての直交シーケンスｗｍを用いて被変調基準信号シーケンスを拡散し、そしてデータシーケンスｚｍ（ｎ）を供給することができる。時間拡散器９３０は、例えば、式（４）に示されるように、パイロットについての直交シーケンスｖｍを用いて基準信号シーケンスを拡散し、そしてパイロットシーケンスｐｍ（ｎ）を供給することができる。マルチプレクサ(multiplexer)（Ｍｕｘ）９３２は、拡散器９２８からのデータシーケンスと、拡散器９３０からのパイロットシーケンスとを受け取ることができ、そして、例えば、図５に示されるように適切なシンボル期間の中で各シーケンスを供給することができる。
【０１００】
図１０は、符号化および多重化のスキーム３についての送信プロセッサ１０２０の一設計のブロック図を示している。送信プロセッサ１０２０は、図８の中のＵＥ１２０における送信プロセッサ８２０の一部分とすることもできる。送信プロセッサ１０２０内において、エンコーダ１０２２は、符号ビットを得るためにブロック符号に基づいてＣＱＩ情報だけを符号化し、あるいはＣＱＩ情報とＡＣＫ情報との両方を一緒に符号化することができる。シンボルマッパー１０２４は、符号ビットを変調シンボルに対してマッピングすることができる。ＤＦＴ／周波数拡散器１０２６は、Ｓ個の周波数ドメインシンボルｓ（ｎ）を得るためにＳ−ポイントＤＦＴを用いて変調シンボルを変換することができる。時間拡散器１０２８は、例えば、式（７）に示されるように、制御データについての直交シーケンスｗｍを用いてＳ個の周波数ドメインシンボルを拡散し、そしてデータシーケンスｚｍ（ｎ）を供給することができる。時間拡散器１０３０は、パイロットについての直交シーケンスｖｍを用いて基準信号シーケンスを拡散し、そしてパイロットシーケンスｐｍ（ｎ）を供給することができる。マルチプレクサ１０３２は、拡散器１０２８からのデータシーケンスと、拡散器１０３０からのパイロットシーケンスとを受け取ることができ、そして、例えば、図７に示されるように、適切なシンボル期間の中で各シーケンスを供給することができる。
【０１０１】
図９および１０は、それぞれ符号化および多重化のスキーム１および３についてのＵＥ１２０による処理の設計の例を示している。ＵＥ１２０は、他の方法で符号化および多重化のスキーム１および３についての処理を実行することもできる。
【０１０２】
図１１は、符号化および多重化のスキーム１についての受信プロセッサ１１６０の一設計のブロック図を示している。受信プロセッサ１１６０は、図８の中のノードＢ１１０における受信プロセッサ８６０の一部分とすることができる。受信プロセッサ１１６０内において、デマルチプレクサ(demultiplexer)（Ｄｅｍｕｘ）１１６２は、ＵＥ１２０に割り当てられるリソースブロック対からのＡＣＫ情報についての受信されたデータとパイロットシーケンスとを取得し、受信されたパイロットシーケンスを時間逆拡散器１１６４に対して供給し、そして受信されたデータシーケンスをコヒーレント検出器１１７０に対して供給することができる。時間逆拡散器１１６４は、ＵＥ１２０に対して割り当てられる直交シーケンスｖｍを用いて各リソースブロックについて受信パイロットシーケンスを逆拡散し、そしてそのリソースブロックについての逆拡散パイロットシーケンスを供給することができる。チャネル推定器１１６６は、そのリソースブロックについての逆拡散パイロットシーケンスに基づいて各リソースブロックの中でＳ個のサブキャリアについてのチャネル推定値を導き出すことができる。コヒーレント検出器１１７０は、適用可能なチャネル推定値を用いて各受信データシーケンスについてのコヒーレント検出を実行し、そして対応する検出されたデータシーケンスを供給することができる。時間逆拡散器１１７２は、ＵＥ１２０に対して割り当てられる直交シーケンスｗｍを用いて各リソースブロックについての検出されたデータシーケンスを逆拡散し、そしてそのリソースブロックについての逆拡散データシーケンスを供給することができる。相関器(correlator)１１７４は、各リソースブロックについての逆拡散データシーケンスを可能な基準信号シーケンスのおのおのと相互に関連づけることができ、そして最良の基準信号シーケンスについての相関結果を供給することができる。シンボルデマッパー(symbol demapper)１１７６は、２つのリソースブロックについての相関結果を取得し、相関結果に基づいてＵＥ１２０によって送信されている可能性が最も高い変調シンボルを決定し、そしてＵＥについての復号されたＡＣＫ情報を供給することができる。
【０１０３】
図１２は、符号化および多重化のスキーム３についての受信プロセッサ１２６０の一設計のブロック図を示している。受信プロセッサ１２６０はまた、図８の中のノードＢ１１０における受信プロセッサ８６０の一部分とすることができる。受信プロセッサ１２６０内において、デマルチプレクサ１２６２は、ＵＥ１２０に割り当てられるリソースブロック対からのＡＣＫ情報および／またはＣＱＩ情報についての受信されたデータとパイロットシーケンスとを取得し、受信されたパイロットシーケンスを時間逆拡散器１２６４に対して供給し、そして受信されたデータシーケンスをコヒーレント検出器１２７０に対して供給することができる。時間逆拡散器１２６４は、各リソースブロックについての受信されたパイロットシーケンスを逆拡散することができる。チャネル推定器１２６６は、各リソースブロックの中でＳ個のサブキャリアについてのチャネル推定値を導き出すことができる。コヒーレント検出器１２７０は、適用可能なチャネル推定値を用いて各受信データシーケンスについてのコヒーレント検出を実行し、そして対応する検出されたデータシーケンスを供給することができる。時間逆拡散器１２７２は、各リソースブロックについての検出されたデータシーケンスを逆拡散し、そしてそのリソースブロックについての逆拡散データシーケンスを供給することができる。ＩＤＦＴ／周波数逆拡散器１２７４は、各リソースブロックについての逆拡散データシーケンス上でＩＤＦＴを実行し、そしてそのリソースブロックについての逆拡散シンボルを供給することができる。ユニット１２７６は、その逆拡散シンボルに基づいて符号ビットについてのログ−尤度比(log-likelihood ratios)（ＬＬＲ）を計算することができる。デコーダ１２７８は、ＬＬＲを復号し、そしてＵＥ１２０についての復号されたＡＣＫ情報および／またはＣＱＩ情報を供給することができる。
【０１０４】
図１１および１２は、それぞれ符号化および多重化のスキーム１および３についてのノードＢ１１０による処理の設計の例を示している。ノードＢ１１０は、他の方法で符号化および多重化のスキーム１および３についての処理を実行することもできる。
【０１０５】
図１３は、ワイヤレス通信システムにおいて制御情報を送信するためのプロセス１３００の一設計を示している。プロセス１３００は、ＵＥによって（下記に説明されるように）、あるいは何らかの他のエンティティによって実行されることができる。ＵＥは、ＡＣＫ情報、ＣＱＩ情報、スケジューリング要求情報、何らかの他の制御情報、あるいはそれらの組合せを備える制御情報を生成することができる（ブロック１３１２）。ＵＥは、符号化データを得るためにブロック符号に基づいてその制御情報を符号化する（例えば、ＡＣＫ情報およびＣＱＩ情報を一緒に符号化する）ことができる（ブロック１３１４）。ＵＥは、周波数拡散データを得るためにＤＦＴを用いて周波数を通して符号化データを拡散することができる（ブロック１３１６）。ＵＥは、さらに、制御情報についての出力データを得るために直交シーケンスを用いて時間を通して周波数拡散データを拡散することができる（ブロック１３１８）。ブロック１３１６の一設計においては、ＵＥは、Ｓ個のサブキャリアについてのＳ個の周波数ドメインシンボルを備える周波数拡散データを得るためにＳ−ポイントＤＦＴを用いてＳ個のサブキャリアを通して符号化データを拡散することができる。ブロック１３１８の一設計においては、ＵＥは、Ｌ個のシンボル期間にわたってＬ組のＳ個の出力シンボルを備える出力データを得るために長さＬの直交シーケンスを用いてＳ個の周波数ドメインシンボルを拡散することができる。各組のＳ個の出力シンボルは、異なるデータシーケンスについてのものとすることができ、そして１つのシンボル期間において送信されることができる。ＵＥは、図１３に示されるように最初に周波数を通して拡散し、そして次いで時間を通して拡散することができる。代わりに、ＵＥは、最初に時間を通して拡散し、そして次いで周波数を通して拡散することもできる。
【０１０６】
ブロック１３１２の一設計においては、ＵＥは、Ｎ個のダウンリンクサブフレームにおいてＮ個のＨＡＲＱプロセスについてのコードワードを受信することができ、そして各ＨＡＲＱプロセスについてのＡＣＫ値を決定することができる。１つのコードワードが、各ＨＡＲＱプロセスについて送信される場合、そのときにはＵＥは、割当てが受信されない場合には第１の値に、コードワードが正しく復号される場合には第２の値に、あるいはコードワードが誤って復号される場合には第３の値に、各ＨＡＲＱプロセスについてのＡＣＫ値を設定することができる。２つのコードワードが、各ＨＡＲＱプロセスについて送信される場合、そのときにはＵＥは、割当てが受信されない場合には第１の値に、両方のコードワードが正しく復号される場合には第２の値に、第１のコードワードだけが正しく復号される場合には第３の値に、第２のコードワードだけが正しく復号される場合には第４の値に、あるいは両方のコードワードが誤って復号される場合には第５の値に、各ＨＡＲＱプロセスについてのＡＣＫ値を設定することができる。ＵＥは、ＡＣＫ情報を得るために、個別に、または一緒にのいずれかでＮ個のＨＡＲＱプロセスについてのＮ個のＡＣＫ値を符号化することができる。一設計においてはＵＥは、Ｑ個の可能な値のうちの１つに各ＨＡＲＱプロセスについてのＡＣＫ値を設定することができ、そしてＮＡＣＫビットのＡＣＫ情報を得るためにＮ個のＨＡＲＱプロセスについてのＮ個のＡＣＫ値を一緒に符号化することができ、ここで
【数３】
0005453264.tif 000009
【０１０７】
である。ＵＥは、Ｍ個のアップリンクサブフレームのうちの１つにおいてＡＣＫ情報についての出力データを送信することができる。Ｎ個のダウンリンクサブフレームとＭ個のアップリンクサブフレームとは、例えば、図２Ｂおよび３に示されるように、時分割二重化されることができる。
【０１０８】
図１４は、ワイヤレス通信システムにおいて制御情報を送信するための装置１４００の一設計を示している。装置１４００は、制御情報を生成するモジュール１４１２と、符号化データを得るためにブロック符号に基づいて制御情報を符号化するモジュール１４１４と、周波数拡散データを得るためにＤＦＴを用いて周波数を通して符号化データを拡散するモジュール１４１６と、制御情報についての出力データを得るために直交シーケンスを用いて時間を通して周波数拡散データを拡散するモジュール１４１８と、を含む。
【０１０９】
図１５は、ワイヤレス通信システムにおいて制御情報を受信するためのプロセス１５００の一設計を示している。プロセス１５００は、ノードＢによって（下記に説明されるように）、あるいは何らかの他のエンティティによって実行されることができる。ノードＢは、時間逆拡散データを得るために直交シーケンスを用いて時間を通して受信データを逆拡散することができる（ブロック１５１２）。ノードＢは、制御情報についての逆拡散シンボルを得るためにＩＤＦＴを用いて周波数を通して時間逆拡散データを逆拡散することができる（ブロック１５１４）。一設計においては、ノードＢは、Ｓ個の逆拡散シンボルを得るためにＳ−ポイントＩＤＦＴを用いてＳ個のサブキャリアを通して時間逆拡散データを逆拡散することができる。ノードＢは、図１５に示されるように、最初に時間を通して逆拡散し、そして次いで周波数を通して逆拡散することができる。代わりに、ノードＢは、最初に周波数を通して逆拡散し、そしてついで時間を通して逆拡散することもできる。いずれにしても、ノードＢは、復号された制御情報を得るためにブロック符号に基づいて逆拡散シンボルを復号することができ、この復号された制御情報は、ＡＣＫ情報、ＣＱＩ情報などを備えることができる（ブロック１５１６）。
【０１１０】
一設計においては、ノードＢは、Ｎ個のダウンリンクサブフレームにおいてＮ個のＨＡＲＱプロセスについてのコードワードを送信することができる。ノードＢは、Ｍ個のアップリンクサブフレームのうちの１つにおいて受信データを得ることができる。Ｎ個のダウンリンクサブフレームとＭ個のアップリンクサブフレームとは、時分割二重化されることができる。ノードＢは、復号された制御情報に基づいて各ＨＡＲＱプロセスについてのＡＣＫ値を決定することができる。
【０１１１】
図１６は、ワイヤレス通信システムにおいて制御情報を受信するための装置１６００の一設計を示している。装置１６００は、時間逆拡散データを得るために直交シーケンスを用いて時間を通して受信データを逆拡散するモジュール１６１２と、制御情報についての逆拡散シンボルを得るためにＩＤＦＴを用いて周波数を通して時間逆拡散データを逆拡散するモジュール１６１４と、復号された制御情報を得るためにブロック符号に基づいて逆拡散シンボルを復号するモジュール１６１６と、を含む。
【０１１２】
図１７は、ワイヤレス通信システムにおいて制御情報を処理するためのプロセス１７００の一設計を示している。プロセス１７００は、ＵＥ、ノードＢ、または何らかの他のエンティティによって実行されることができる。第１の制御情報は、時間ドメインと周波数ドメインとの両方における符号分割多重化を利用した第１の符号化および多重化のスキームに基づいて処理されることができる（ブロック１７１２）。第１の符号化および多重化のスキームでは、時間ドメインにおける符号分割多重化は、直交シーケンスを用いて時間を通して拡散することにより達成されることができ、そして周波数ドメインにおける符号分割多重化は、基準信号シーケンスの異なる巡回シフトを用いて達成されることができる。第２の制御情報は、時間ドメインにおける符号分割多重化と、周波数ドメインにおける拡散とを利用した第２の符号化および多重化のスキームに基づいて処理されることができる（１７１４）。第２の符号化および多重化のスキームでは、時間ドメインにおける符号分割多重化は、直交シーケンスを用いて時間を通して拡散することにより達成されることができ、そして周波数ドメインにおける拡散はＤＦＴを用いて達成されることができる。
【０１１３】
ブロック１７１２の一設計においては、第１の制御情報は、図９に示されるように、トランスミッタ（例えば、ＵＥ）によって処理されることができる。トランスミッタは、第１の制御情報に基づいて変調シンボルを生成することができる。トランスミッタは、被変調基準信号シーケンスを得るために変調シンボルを用いて基準信号シーケンスを変調することができる。次いでトランスミッタは、直交シーケンスｗｍを用いて時間を通して被変調基準信号シーケンスを拡散することができる。
【０１１４】
ブロック１７１２の別の設計においては、第１の制御情報は、図１１に示されるように、レシーバ（例えば、ノードＢ）によって処理されることができる。レシーバは、時間逆拡散データを得るために直交シーケンスｗｍを用いて時間を通して受信データを逆拡散することができる。レシーバは、相関結果を得るために時間逆拡散データを基準信号シーケンスと相互に関連づけることができる。次いでレシーバは、相関結果に基づいて第１の制御情報を復元することができる。
【０１１５】
ブロック１７１４の一設計において、第２の制御情報は、図１０に示されるようにトランスミッタによって処理されることができる。トランスミッタは、周波数拡散データを得るためにＤＦＴを用いて周波数を通して第２の制御情報を拡散することができる。次いでトランスミッタは、直交シーケンスｗｍを用いて時間を通して周波数拡散データを拡散することができる。
【０１１６】
ブロック１７１４の別の設計においては、第２の制御情報は、図１２に示されるようにレシーバによって処理されることができる。レシーバは、時間逆拡散データを得るために直交シーケンスｗｍを用いて時間を通して受信データを逆拡散することができる。レシーバは、さらに、周波数逆拡散データを得るためにＩＤＦＴを用いて周波数を通して時間逆拡散データを逆拡散することができる。次いでレシーバは、周波数逆拡散データに基づいて第２の制御情報を復元することができる。
【０１１７】
一設計においては、第１の制御情報は、１つのＨＡＲＱプロセスについてのＡＣＫ情報を備えることができ、そして第２の制御情報は、複数のＨＡＲＱプロセスについてのＡＣＫ情報を備えることができる。別の設計においては、第１の制御情報は、ＡＣＫ情報を備えることができ、そして第２の制御情報は、ＣＱＩ情報だけ、またはＡＣＫ情報とＣＱＩ情報との両方を備えることができる。
【０１１８】
図１８は、ワイヤレス通信システムにおいて制御情報を処理するための装置１８００の一設計を示している。装置１８００は、時間ドメインと周波数ドメインとの両方において符号分割多重化を利用した第１の符号化および多重化のスキームに基づいて第１の制御情報を処理するモジュール１８１２と、時間ドメインにおける符号分割多重化と周波数ドメインにおける拡散とを利用した第２の符号化および多重化のスキームに基づいて第２の制御情報を処理するモジュール１８１４と、を含む。
【０１１９】
図１９は、ＴＤＤを利用したワイヤレス通信システムにおいてデータを送信するためのプロセス１９００の一設計を示している。プロセス１９００は、ノードＢによって（下記に説明されるように）、あるいは何らかの他のエンティティによって実行されることができる。ノードＢは、アップリンク上でＵＥからサウンディング基準信号を受信することができる（ブロック１９１２）。ノードＢは、サウンディング基準信号に基づいて事前符号化行列を決定することができる（ブロック１９１４）。ノードＢは、サウンディング基準信号に基づいて少なくとも１つの変調および符号化のスキームを決定することもできる（ブロック１９１６）。次いでノードＢは、事前符号化行列と少なくとも１つの変調および符号化のスキームとに基づいてダウンリンク上でデータ送信を送信することができる（ブロック１９１８）。
【０１２０】
一設計においては、ＵＥは、ＣＱＩ情報をノードＢに対して送信しない。ノードＢは、サウンディング基準信号に基づいてアップリンクについての雑音および干渉を推定することができる。ノードＢは、ダウンリンクとアップリンクとについて雑音および干渉についての対称性を仮定することができる。次いでノードＢは、事前符号化行列と、アップリンクについての推定された雑音および干渉とに基づいて少なくとも１つの変調および符号化のスキームを決定することができる。
【０１２１】
別の設計においては、ＵＥは、ダウンリンクのチャネル品質を示すＣＱＩ情報をノードＢに対して送信することができる。ノードＢは、サウンディング基準信号に基づいてアップリンクについての雑音および干渉を推定することができる。ノードＢは、アップリンクについてのＣＱＩ情報と推定された雑音および干渉とに基づいてダウンリンクとアップリンクとについての雑音および干渉の非対称性を決定することができる。ノードＢは、アップリンクについての推定された雑音および干渉と非対称性とに基づいてダウンリンクについての雑音および干渉を推定することができる。次いでノードＢは、事前符号化行列と、ダウンリンクについての推定された雑音および干渉とに基づいて少なくとも１つの変調および符号化のスキームを決定することができる。
【０１２２】
図２０は、ＴＤＤを利用したワイヤレス通信システムにおいてデータを送信するための装置２０００の一設計を示している。装置２０００は、アップリンク上でサウンディング基準信号を受信するモジュール２０１２と、サウンディング基準信号に基づいて事前符号化行列を決定するモジュール２０１４と、サウンディング基準信号に基づいて少なくとも１つの変調および符号化のスキームを決定するモジュール２０１６と、事前符号化行列と少なくとも１つの変調および符号化のスキームとに基づいてダウンリンク上でデータ送信を送信するモジュール２０１８と、を含む。
【０１２３】
図２１は、ＴＤＤを利用したワイヤレス通信システムにおいてデータ受信するためのプロセス２１００の一設計を示している。プロセス２１００は、ＵＥによって（下記に説明されるように）、あるいは何らかの他のエンティティによって実行されることができる。ＵＥは、アップリンク上でサウンディング基準信号をノードＢに対して送信することができる（ブロック２１１２）。ＵＥは、事前符号化行列と、サウンディング基準信号に基づいてノードＢによって決定される少なくとも１つの変調および符号化のスキームとに基づいてノードＢによってダウンリンク上で送信されるデータ送信を受信することができる（ブロック２１１４）。
【０１２４】
一設計においては、ＵＥは、ダウンリンクのチャネル品質を示すＣＱＩ情報をノードＢに対して送信しない。別の設計においては、ＵＥは、ＣＱＩ情報を生成し、そしてノードＢに対して送信することができる。この設計においては、ノードＢは、ＣＱＩ情報とサウンディング基準信号とに基づいてダウンリンクとアップリンクとについての雑音および干渉の非対称性を決定することができる。次いでノードＢは、非対称性に基づいて少なくとも１つの変調および符号化のスキームを決定することができる。
【０１２５】
図２２は、ＴＤＤを利用したワイヤレス通信システムにおいてデータを受信するための装置２２００の一設計を示している。装置２２００は、アップリンク上でサウンディング基準信号をノードＢに対して送信するモジュール２２１２と、事前符号化行列と、サウンディング基準信号に基づいてノードＢによって決定される少なくとも１つの変調および符号化のスキームとに基づいてノードＢによってダウンリンク上で送信されるデータ送信を受信するモジュール２２１４と、を含む。
【０１２６】
図１４、１６、１８、２０および２２の中のモジュールは、プロセッサ、電子デバイス、ハードウェアデバイス、電子コンポーネント、論理回路、メモリなど、あるいはそれらの任意の組合せを備えることができる。
【０１２７】
当業者(Those of skill in the art)は、情報および信号が、様々な異なる技術および技法のうちの任意のものを使用して表されることができることを理解するであろう。例えば、上記説明全体を通して参照されることができるデータ、命令、コマンド、情報、信号、ビット、シンボル、およびチップは、電圧、電流、電磁波、磁気的な場または粒子、光学的な場または粒子、あるいはそれらの任意の組合せによって表されることができる。
【０１２８】
当業者は、さらに、ここにおいて開示に関連して説明される様々な例示の論理ブロック、モジュール、回路、およびアルゴリズムステップは、電子ハードウェア、コンピュータソフトウェア、あるいは両方の組合せとしてインプリメントされることができることを理解するであろう。ハードウェアとソフトウェアとのこの交換可能性を明確に示すために、様々な例示のコンポーネント、ブロック、モジュール、回路、およびステップが、それらの機能の観点から上記で一般的に説明されている。そのような機能が、ハードウェアとしてインプリメントされるか、あるいはソフトウェアとしてインプリメントされるかは、特定のアプリケーションと、全体的なシステム上に課される設計制約条件とに依存する。当業者(Skilled artisans)は、特定の各アプリケーションについて様々なやり方で、説明される機能をインプリメントすることができるが、そのようなインプリメンテーションの決定は、本開示の範囲からの逸脱を引き起こすものと解釈されるべきではない。
【０１２９】
ここにおいて本開示に関連して説明される様々な例示の論理ブロック、モジュール、および回路は、ここにおいて説明される機能を実行するように設計された汎用プロセッサ、デジタル信号プロセッサ(digital signal processor)（ＤＳＰ）、特定用途向け集積回路(application specific integrated circuit)（ＡＳＩＣ）、フィールドプログラマブルゲートアレイ(field programmable gate array)（ＦＰＧＡ）または他のプログラマブルロジックデバイス、ディスクリートゲート(discrete gate)またはトランジスタロジック、ディスクリートハードウェアコンポーネント(discrete hardware components)、あるいはそれらの任意の組合せを用いてインプリメントされ、または実行されることができる。汎用プロセッサは、マイクロプロセッサとすることもできるが、代替案においては、プロセッサは、従来の任意のプロセッサ、コントローラ、マイクロコントローラ、または状態機械とすることもできる。プロセッサは、コンピューティングデバイスの組合せ、例えば、ＤＳＰとマイクロプロセッサとの組合せ、複数のマイクロプロセッサ、ＤＳＰコアと組み合わされた１つまたは複数のマイクロプロセッサ、あるいは他のそのような任意のコンフィギュレーションとしてインプリメントされることもできる。
【０１３０】
ここにおいて本開示に関連して説明される方法またはアルゴリズムのステップは、ハードウェアの形で直接に、プロセッサによって実行されるソフトウェアモジュールの形で、あるいはそれらの２つの組合せの形で実施されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、着脱可能ディスク、ＣＤ−ＲＯＭ、または当技術分野において知られている他の任意の形態のストレージ媒体の中に存在することができる。例示のストレージ媒体は、プロセッサが、ストレージ媒体から情報を読み取り、そしてストレージ媒体に情報を書き込むことができるように、プロセッサに結合される。代替案においては、ストレージ媒体は、プロセッサと一体化していることもできる。プロセッサとストレージ媒体とは、ＡＳＩＣの中に存在することができる。ＡＳＩＣは、ユーザ端末の中に存在することができる。代替案においては、プロセッサとストレージ媒体とは、ユーザ端末の中にディスクリートコンポーネントとして存在することもできる。
【０１３１】
１つまたは複数の例示の設計においては、説明されるファンクションは、ハードウェア、ソフトウェア、ファームウェア、またはそれらの任意の組合せの形でインプリメントされることができる。ソフトウェアの形でインプリメントされる場合、ファンクションは、コンピュータ可読媒体上の１つまたは複数の命令またはコードとして記憶され、あるいは送信されることができる。コンピュータ可読媒体は、１つの場所から別の場所へとコンピュータプログラムの転送を容易にする任意の媒体を含むコンピュータストレージ媒体と通信媒体との両方を含んでいる。ストレージ媒体は、汎用コンピュータまたは専用コンピュータによってアクセスされることができる使用可能な任意の媒体とすることができる。例として限定するものではないが、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態で望ましいプログラムコード手段を搬送し、または記憶するために使用されることができ、そして汎用もしくは専用のコンピュータ、または汎用もしくは専用のプロセッサによってアクセスされることができる他の任意の媒体、を備えることができる。また、任意の接続は、適切にコンピュータ可読媒体と称されもする。例えば、ソフトウェアが、同軸ケーブル、光ファイバケーブル、ツイストペア、デジタル加入者回線(digital subscriber line)（ＤＳＬ）、または赤外線、無線、マイクロ波などのワイヤレス技術、を使用してウェブサイト、サーバ、または他のリモートソースから送信される場合、そのときには同軸ケーブル、光ファイバケーブル、ツイストペア、ＤＳＬ、または赤外線、無線、マイクロ波などのワイヤレス技術は、媒体の定義に含められる。ここにおいて使用されるように、ディスク(Disk)およびディスク(disc)は、コンパクトディスク(compact disc)（ＣＤ）と、レーザディスク(laser disc)と、光ディスク(optical disc)と、デジタル多用途ディスク(digital versatile disc)（ＤＶＤ）と、フロッピー（登録商標）ディスクと、ブルーレイディスク(blu-ray disc)とを含み、ここでディスク(disks)は、通常、データを磁気的に再生するが、ディスク(discs)は、レーザを用いて光学的にデータを再生する。上記の組合せもまた、コンピュータ可読媒体の範囲内に含められるべきである。
【０１３２】
本開示の上記の説明は、当業者が、本開示を作り、または使用することを可能にするために提供される。本開示に対する様々な修正は、当業者にとって簡単に明らかになり、ここにおいて定義される包括的な原理は、本開示の精神または範囲を逸脱することなく他の変形に対しても適用されることができる。したがって、本開示は、ここにおいて説明される例および設計だけに限定されるようには意図されず、ここにおいて開示される原理および新規特徴と整合した最も広い範囲を与えられるべきである。
以下に、本願出願の当初の特許請求の範囲に記載された発明を付記する。
［Ｃ１］
ワイヤレス通信システムにおいて制御情報を送信する方法であって、
周波数拡散データを得るために離散フーリエ変換（ＤＦＴ）を用いて周波数を通して制御情報を拡散することと、
前記制御情報についての出力データを得るために直交シーケンスを用いて時間を通して前記周波数拡散データを拡散することと、
を備える方法。
［Ｃ２］
周波数を通して前記の前記制御情報を拡散することは、Ｓ個のサブキャリアについてＳ個の周波数ドメインシンボルを備える前記周波数拡散データを得るためにＳ−ポイントＤＦＴを用いて前記Ｓ個のサブキャリアを通して前記制御情報を拡散すること、を備え、ここでＳは、１よりも大きい、Ｃ１に記載の方法。
［Ｃ３］
時間を通して前記の前記周波数拡散データを拡散することは、Ｌ個のシンボル期間にわたってＬ組のＳ個の出力シンボルを備える前記出力データを得るために長さＬの前記直交シーケンスを用いてＳ個の周波数ドメインシンボルを拡散すること、を備え、ここでＬは、１よりも大きい、Ｃ２に記載の方法。
［Ｃ４］
符号化データを得るためにブロック符号に基づいて前記制御情報を符号化すること、
をさらに備え、そして周波数を通して前記の前記制御情報を拡散することは、前記周波数拡散データを得るために周波数を通して前記符号化データを拡散すること、を備える、Ｃ１に記載の方法。
［Ｃ５］
前記制御情報は、肯定応答（ＡＣＫ）情報と、チャネル品質インジケータ（ＣＱＩ）情報とを備え、前記方法は、
符号化データを得るためにブロック符号に基づいて前記ＡＣＫ情報と前記ＣＱＩ情報とを一緒に符号化すること、をさらに備え、そして周波数を通して前記の前記制御情報を拡散することは、前記周波数拡散データを得るために周波数を通して前記符号化データを拡散すること、を備える、Ｃ１に記載の方法。
［Ｃ６］
Ｎ個のハイブリッド自動反復要求（ＨＡＲＱ）プロセスのおのおのについて肯定応答（ＡＣＫ）値を決定することと、ここでＮは、１よりも大きい；
前記Ｎ個のＨＡＲＱプロセスについてのＮ個のＡＣＫ値に基づいてＡＣＫ情報を生成することと、なお前記制御情報は、前記ＡＣＫ情報を備える；
をさらに備えるＣ１に記載の方法。
［Ｃ７］
前記の前記ＡＣＫ情報を生成することは、前記ＡＣＫ情報を得るために前記Ｎ個のＨＡＲＱプロセスについての前記Ｎ個のＡＣＫ値を一緒に符号化すること、を備える、Ｃ６に記載の方法。
［Ｃ８］
各ＨＡＲＱプロセスについての前記の前記ＡＣＫ値を決定することは、Ｑ個の可能な値のうちの１つに各ＨＡＲＱプロセスについての前記ＡＣＫ値を設定すること、を備え、ここでＱは、１よりも大きく、そして前記の前記ＡＣＫ情報を生成することは、前記ＡＣＫ情報についてのＮＡＣＫビットを得るために前記Ｎ個のＡＣＫ値を一緒に符号化すること、を備え、ここで
【数４】
0005453264.tif 000010
であり、そして
【数５】
0005453264.tif 000011
は、シーリングオペレータを示す、Ｃ６に記載の方法。
［Ｃ９］
１つのコードワードは、前記Ｎ個のＨＡＲＱプロセスのおのおのについて送信され、そして各ＨＡＲＱプロセスについての前記ＡＣＫ値は、割当てが受信されない場合に第１の値に、前記コードワードが正しく復号される場合に第２の値に、または前記コードワードが誤って復号される場合に第３の値に、設定される、Ｃ６に記載の方法。
［Ｃ１０］
第１および第２のコードワードは、前記Ｎ個のＨＡＲＱプロセスのおのおのについて送信され、そして各ＨＡＲＱプロセスについての前記ＡＣＫ値は、割当てが受信されない場合に第１の値に、前記の第１および第２のコードワードが正しく復号される場合に第２の値に、前記第１のコードワードだけが正しく復号される場合に第３の値に、前記第２のコードワードだけが正しく復号される場合に第４の値に、または前記の第１および第２のコードワードが誤って復号される場合に第５の値に、設定される、Ｃ６に記載の方法。
［Ｃ１１］
Ｎ個のダウンリンクサブフレームにおいて前記Ｎ個のＨＡＲＱプロセスについてのコードワードを受信することと、
Ｍ個のアップリンクサブフレームのうちの１つにおいて前記出力データを送信することと、
をさらに備え、前記Ｎ個のダウンリンクサブフレームと、前記Ｍ個のアップリンクサブフレームとは、時分割二重化される、Ｃ６に記載の方法。
［Ｃ１２］
前記制御情報は、肯定応答（ＡＣＫ）情報、またはチャネル品質インジケータ（ＣＱＩ）情報、あるいはＡＣＫ情報とＣＱＩ情報との両方を備える、Ｃ１に記載の方法。
［Ｃ１３］
ワイヤレス通信のための装置であって、
周波数拡散データを得るために離散フーリエ変換（ＤＦＴ）を用いて周波数を通して制御情報を拡散するように、そして前記制御情報についての出力データを得るために直交シーケンスを用いて時間を通して前記周波数拡散データを拡散するように、構成された少なくとも１つのプロセッサ、
を備える装置。
［Ｃ１４］
前記少なくとも１つのプロセッサは、Ｓ個のサブキャリアについてＳ個の周波数ドメインシンボルを備える前記周波数拡散データを得るためにＳ−ポイントＤＦＴを用いて前記Ｓ個のサブキャリアを通して前記制御情報を拡散するように構成されており、ここでＳは、１よりも大きい、Ｃ１３に記載の装置。
［Ｃ１５］
前記少なくとも１つのプロセッサは、Ｎ個のハイブリッド自動反復要求（ＨＡＲＱ）プロセスのおのおのについて肯定応答（ＡＣＫ）値を決定するように、そして前記Ｎ個のＨＡＲＱプロセスについてのＮ個のＡＣＫ値に基づいてＡＣＫ情報を生成するように、構成されており、ここでＮは、１よりも大きく、そして前記制御情報は、前記ＡＣＫ情報を備える、Ｃ１３に記載の装置。
［Ｃ１６］
前記少なくとも１つのプロセッサは、前記ＡＣＫ情報を得るために前記Ｎ個のＡＣＫ値を一緒に符号化するように構成されている、Ｃ１５に記載の装置。
［Ｃ１７］
前記少なくとも１つのプロセッサは、Ｎ個のダウンリンクサブフレームにおいて前記Ｎ個のＨＡＲＱプロセスについてのコードワードを受信するように、そしてＭ個のアップリンクサブフレームのうちの１つにおいて前記出力データを送信するように、構成されており、前記Ｎ個のダウンリンクサブフレームと前記Ｍ個のアップリンクサブフレームとは、時分割二重化される、Ｃ１５に記載の装置。
［Ｃ１８］
ワイヤレス通信システムのための装置であって、
周波数拡散データを得るために離散フーリエ変換（ＤＦＴ）を用いて周波数を通して制御情報を拡散するための手段と、
前記制御情報についての出力データを得るために直交シーケンスを用いて時間を通して前記周波数拡散データを拡散するための手段と、
を備える装置。
［Ｃ１９］
周波数を通して前記制御情報を拡散するための前記手段は、Ｓ個のサブキャリアについてＳ個の周波数ドメインシンボルを備える前記周波数拡散データを得るためにＳ−ポイントＤＦＴを用いて前記Ｓ個のサブキャリアを通して前記制御情報を拡散するための手段、を備え、ここでＳは、１よりも大きい、Ｃ１８に記載の装置。
［Ｃ２０］
Ｎ個のハイブリッド自動反復要求（ＨＡＲＱ）プロセスのおのおのについて肯定応答（ＡＣＫ）値を決定するための手段と、ここでＮは、１よりも大きい；
前記Ｎ個のＨＡＲＱプロセスについてのＮ個のＡＣＫ値に基づいてＡＣＫ情報を生成するための手段と、なお前記制御情報は、前記ＡＣＫ情報を備える；
をさらに備えるＣ１８に記載の装置。
［Ｃ２１］
前記ＡＣＫ情報を生成するための前記手段は、前記ＡＣＫ情報を得るために前記Ｎ個のＡＣＫ値を一緒に符号化するための手段、を備える、Ｃ２０に記載の装置。
［Ｃ２２］
少なくとも１台のコンピュータに、周波数拡散データを得るために離散フーリエ変換（ＤＦＴ）を用いて周波数を通して制御情報を拡散するようにさせるためのコードと、
前記少なくとも１台のコンピュータに、前記制御情報についての出力データを得るために直交シーケンスを用いて時間を通して前記周波数拡散データを拡散するようにさせるためのコードと、
を備えるコンピュータ可読媒体、
を備えるコンピュータプログラムプロダクト。
［Ｃ２３］
ワイヤレス通信システムにおいて制御情報を受信する方法であって、
時間逆拡散データを得るために直交シーケンスを用いて時間を通して受信データを逆拡散することと、
制御情報についての逆拡散シンボルを得るために逆離散フーリエ変換（ＩＤＦＴ）を用いて周波数を通して前記時間逆拡散データを逆拡散することと、
を備える方法。
［Ｃ２４］
周波数を通して前記の前記時間逆拡散データを逆拡散することは、Ｓ個の逆拡散シンボルを得るためにＳ−ポイントＩＤＦＴを用いてＳ個のサブキャリアを通して前記時間逆拡散データを逆拡散すること、を備え、ここでＳは、１よりも大きい、Ｃ２３に記載の方法。
［Ｃ２５］
復号された制御情報を得るためにブロック符号に基づいて前記逆拡散シンボルを復号すること、
をさらに備えるＣ２３に記載の方法。
［Ｃ２６］
前記逆拡散シンボルに基づいてＮ個のハイブリッド自動反復要求（ＨＡＲＱ）プロセスのおのおのについて肯定応答（ＡＣＫ）値を決定すること、
をさらに備え、ここでＮは、１よりも大きい、Ｃ２３に記載の方法。
［Ｃ２７］
Ｎ個のダウンリンクサブフレームにおいて前記Ｎ個のＨＡＲＱプロセスについてのコードワードを送信することと、
Ｍ個のアップリンクサブフレームのうちの１つにおいて前記受信データを得ることと、
をさらに備え、前記Ｎ個のダウンリンクサブフレームと、前記Ｍ個のアップリンクサブフレームとは、時分割二重化される、Ｃ２６に記載の方法。
［Ｃ２８］
前記制御情報は、肯定応答（ＡＣＫ）情報、またはチャネル品質インジケータ（ＣＱＩ）情報、あるいはＡＣＫ情報とＣＱＩ情報との両方を備える、Ｃ２３に記載の方法。
［Ｃ２９］
ワイヤレス通信のための装置であって、
時間逆拡散データを得るために直交シーケンスを用いて時間を通して受信データを逆拡散するように、そして制御情報についての逆拡散シンボルを得るために逆離散フーリエ変換（ＩＤＦＴ）を用いて周波数を通して前記時間逆拡散データを逆拡散するように、構成された少なくとも１つのプロセッサ、
を備える装置。
［Ｃ３０］
前記少なくとも１つのプロセッサは、Ｓ個の逆拡散シンボルを得るためにＳ−ポイントＩＤＦＴを用いてＳ個のサブキャリアを通して前記時間逆拡散データを逆拡散するように構成されており、ここでＳは、１よりも大きい、Ｃ２９に記載の装置。
［Ｃ３１］
前記少なくとも１つのプロセッサは、前記逆拡散シンボルに基づいてＮ個のハイブリッド自動反復要求（ＨＡＲＱ）プロセスのおのおのについて肯定応答（ＡＣＫ）値を決定するように構成されており、ここでＮは、１よりも大きい、Ｃ２９に記載の装置。
［Ｃ３２］
前記少なくとも１つのプロセッサは、Ｎ個のダウンリンクサブフレームにおいて前記Ｎ個のＨＡＲＱプロセスについてのコードワードを送信するように、そしてＭ個のアップリンクサブフレームのうちの１つにおいて前記受信データを得るように、構成されており、前記Ｎ個のダウンリンクサブフレームと、前記Ｍ個のアップリンクサブフレームとは、時分割二重化される、Ｃ３１に記載の装置。
［Ｃ３３］
ワイヤレス通信のための方法であって、
時間ドメインと周波数ドメインとの両方における符号分割多重化を利用した第１の符号化および多重化のスキームに基づいて第１の制御情報を処理することと、
前記時間ドメインにおける符号分割多重化と、前記周波数ドメインにおける拡散とを利用した第２の符号化および多重化のスキームに基づいて第２の制御情報を処理することと、
を備える方法。
［Ｃ３４］
前記第１の符号化および多重化のスキームでは、前記時間ドメインにおける前記符号分割多重化は、直交シーケンスを用いて時間を通して拡散することによって達成され、そして前記周波数ドメインにおける前記符号分割多重化は、基準信号シーケンスの異なる巡回シフトを用いて達成される、Ｃ３３に記載の方法。
［Ｃ３５］
前記第２の符号化および多重化のスキームでは、前記時間ドメインにおける前記符号分割多重化は、直交シーケンスを用いて時間を通して拡散することによって達成され、そして前記周波数ドメインにおける前記拡散は、離散フーリエ変換（ＤＦＴ）を用いて達成される、Ｃ３３に記載の方法。
［Ｃ３６］
前記第１の符号化および多重化のスキームに基づいて前記の前記第１の制御情報を処理することは、
前記第１の制御情報に基づいて変調シンボルを生成することと、
被変調基準信号シーケンスを得るために前記変調シンボルを用いて基準信号シーケンスを変調することと、
直交シーケンスを用いて時間を通して前記被変調基準信号シーケンスを拡散することと、
を備える、Ｃ３３に記載の方法。
［Ｃ３７］
前記第２の符号化および多重化のスキームに基づいて前記の前記第２の制御情報を処理することは、
周波数拡散データを得るために離散フーリエ変換（ＤＦＴ）を用いて周波数を通して前記第２の制御情報を拡散することと、
直交シーケンスを用いて時間を通して前記周波数拡散データを拡散することと、
を備える、Ｃ３３に記載の方法。
［Ｃ３８］
前記第１の符号化および多重化のスキームに基づいて前記の前記第１の制御情報を処理することは、
時間逆拡散データを得るために直交シーケンスを用いて時間を通して受信データを逆拡散することと、
相関結果を得るために前記時間逆拡散データを基準信号シーケンスと相互に関連づけることと、
前記相関結果に基づいて前記第１の制御情報を復元することと、
を備える、Ｃ３３に記載の方法。
［Ｃ３９］
前記第２の符号化および多重化のスキームに基づいて前記の前記第２の制御情報を処理することは、
時間逆拡散データを得るために直交シーケンスを用いて時間を通して受信データを逆拡散することと、
周波数逆拡散データを得るために逆離散フーリエ変換（ＩＤＦＴ）を用いて周波数を通して前記時間逆拡散データを逆拡散することと、
前記周波数逆拡散データに基づいて前記第２の制御情報を復元することと、
を備える、Ｃ３３に記載の方法。
［Ｃ４０］
前記第１の制御情報は、１つのハイブリッド自動反復要求（ＨＡＲＱ）プロセスについての肯定応答（ＡＣＫ）情報を備え、そして前記第２の制御情報は、複数のＨＡＲＱプロセスについてのＡＣＫ情報を備える、Ｃ３３に記載の方法。
［Ｃ４１］
前記第１の制御情報は、肯定応答（ＡＣＫ）情報を備え、そして前記第２の制御情報は、チャネル品質インジケータ（ＣＱＩ）情報、またはＡＣＫ情報とＣＱＩ情報との両方を備える、Ｃ３３に記載の方法。
［Ｃ４２］
ワイヤレス通信のための装置であって、
時間ドメインと周波数ドメインとの両方における符号分割多重化を利用した第１の符号化および多重化のスキームに基づいて第１の制御情報を処理するように、そして前記時間ドメインにおける符号分割多重化と、前記周波数ドメインにおける拡散とを利用した第２の符号化および多重化のスキームに基づいて第２の制御情報を処理するように、構成された少なくとも１つのプロセッサ、
を備える装置。
［Ｃ４３］
前記少なくとも１つのプロセッサは、前記第１の制御情報に基づいて変調シンボルを生成するように、被変調基準信号シーケンスを得るために前記変調シンボルを用いて基準信号シーケンスを変調するように、そして直交シーケンスを用いて時間を通して前記被変調基準信号シーケンスを拡散するように、構成されている、Ｃ４２に記載の装置。
［Ｃ４４］
前記少なくとも１つのプロセッサは、周波数拡散データを得るために離散フーリエ変換（ＤＦＴ）を用いて周波数を通して前記第２の制御情報を拡散するように、そして直交シーケンスを用いて時間を通して前記周波数拡散データを拡散するように、構成されている、Ｃ４２に記載の装置。
［Ｃ４５］
前記少なくとも１つのプロセッサは、時間逆拡散データを得るために直交シーケンスを用いて時間を通して受信データを逆拡散するように、相関結果を得るために前記時間逆拡散データを基準信号シーケンスと相互に関連づけるように、そして前記相関結果に基づいて前記第１の制御情報を復元するように、構成されている、Ｃ４２に記載の装置。
［Ｃ４６］
前記少なくとも１つのプロセッサは、時間逆拡散データを得るために直交シーケンスを用いて時間を通して受信データを逆拡散するように、周波数逆拡散データを得るために逆離散フーリエ変換（ＩＤＦＴ）を用いて周波数を通して前記時間逆拡散データを逆拡散するように、そして前記周波数逆拡散データに基づいて前記第２の制御情報を復元するように、構成されている、Ｃ４２に記載の装置。
［Ｃ４７］
時分割二重化（ＴＤＤ）を利用したワイヤレス通信システムにおいてデータを送信する方法であって、
アップリンク上でサウンディング基準信号を受信することと、
前記サウンディング基準信号に基づいて事前符号化行列を決定することと、
前記サウンディング基準信号に基づいて少なくとも１つの変調および符号化のスキームを決定することと、
前記事前符号化行列と、前記少なくとも１つの変調および符号化のスキームとに基づいてダウンリンク上でデータ送信を送信することと、
を備える方法。
［Ｃ４８］
前記ダウンリンクのチャネル品質を示すチャネル品質インジケータ（ＣＱＩ）情報を受信することと、
前記サウンディング基準信号に基づいて前記アップリンクについての雑音および干渉を推定することと、
前記ＣＱＩ情報と、前記アップリンクについての前記推定された雑音および干渉とに基づいて前記ダウンリンクと前記アップリンクとについての雑音および干渉の非対称性を決定することと、
前記アップリンクについての前記推定された雑音および干渉と、前記非対称性とに基づいて前記ダウンリンクについての雑音および干渉を推定することと、
をさらに備え、前記少なくとも１つの変調および符号化のスキームは、前記ダウンリンクについての前記推定された雑音および干渉に基づいて決定される、Ｃ４７に記載の方法。
［Ｃ４９］
時分割二重化（ＴＤＤ）を利用したワイヤレス通信システムのための装置であって、
アップリンク上でサウンディング基準信号を受信するように、前記サウンディング基準信号に基づいて事前符号化行列を決定するように、前記サウンディング基準信号に基づいて少なくとも１つの変調および符号化のスキームを決定するように、そして前記事前符号化行列と、前記少なくとも１つの変調および符号化のスキームとに基づいてダウンリンク上でデータ送信を送信するように、構成された少なくとも１つのプロセッサ、
を備える装置。
［Ｃ５０］
前記少なくとも１つのプロセッサは、前記ダウンリンクのチャネル品質を示すチャネル品質インジケータ（ＣＱＩ）情報を受信するように、前記サウンディング基準信号に基づいて前記アップリンクについての雑音および干渉を推定するように、前記ＣＱＩ情報と、前記アップリンクについての前記推定された雑音および干渉とに基づいて前記ダウンリンクと前記アップリンクとについての雑音および干渉の非対称性を決定するように、前記アップリンクについての前記推定された雑音および干渉と、前記非対称性とに基づいて前記ダウンリンクについての雑音および干渉を推定するように、そして前記ダウンリンクについての前記推定された雑音および干渉に基づいて前記少なくとも１つの変調および符号化のスキームを決定するように、構成されている、Ｃ４９に記載の装置。
［Ｃ５１］
時分割二重化（ＴＤＤ）を利用したワイヤレス通信システムにおいてデータを受信する方法であって、
アップリンク上でサウンディング基準信号を送信することと、
事前符号化行列と、前記サウンディング基準信号に基づいてノードＢによって決定される少なくとも１つの変調および符号化のスキームとに基づいて前記ノードＢによってダウンリンク上で送信されるデータ送信を受信することと、
を備える方法。
［Ｃ５２］
前記ダウンリンクのチャネル品質を示すチャネル品質インジケータ（ＣＱＩ）情報を生成することと、
前記ＣＱＩ情報を前記ノードＢに対して送信することと、
をさらに備え、前記少なくとも１つの変調および符号化のスキームは、前記ダウンリンクと前記アップリンクとについての雑音および干渉の非対称性にさらに基づいて前記ノードＢによって決定され、そして前記非対称性は、前記ＣＱＩ情報と前記サウンディング基準信号とに基づいて前記ノードＢによって決定される、Ｃ５１に記載の方法。
［Ｃ５３］
時分割二重化（ＴＤＤ）を利用したワイヤレス通信システムのための装置であって、
アップリンク上でサウンディング基準信号を送信するように、そして事前符号化行列と、前記サウンディング基準信号に基づいてノードＢによって決定される少なくとも１つの変調および符号化のスキームとに基づいて前記ノードＢによってダウンリンク上で送信されるデータ送信を受信するように、構成された少なくとも１つのプロセッサ、
を備える装置。
［Ｃ５４］
前記少なくとも１つのプロセッサは、前記ダウンリンクのチャネル品質を示すチャネル品質インジケータ（ＣＱＩ）情報を生成するように、そして前記ＣＱＩ情報を前記ノードＢに対して送信するように、構成されており、前記少なくとも１つの変調および符号化のスキームは、前記ダウンリンクと前記アップリンクとについての雑音および干渉の非対称性にさらに基づいて前記ノードＢによって決定され、そして前記非対称性は、前記ＣＱＩ情報と前記サウンディング基準信号とに基づいて前記ノードＢによって決定される、Ｃ５３に記載の装置。
【図１】
0005453264.tif 000024
【図２Ａ】
0005453264.tif 000025
【図２Ｂ】
0005453264.tif 000026
【図３】
0005453264.tif 000027
【図４】
0005453264.tif 000028
【図５】
0005453264.tif 000029
【図６】
0005453264.tif 000030
【図７】
0005453264.tif 000031
【図８】
0005453264.tif 000032
【図９】
0005453264.tif 000033
【図１０】
0005453264.tif 000034
【図１１】
0005453264.tif 000035
【図１２】
0005453264.tif 000036
【図１３】
0005453264.tif 000037
【図１４】
0005453264.tif 000038
【図１５】
0005453264.tif 000039
【図１６】
0005453264.tif 000040
【図１７】
0005453264.tif 000041
【図１８】
0005453264.tif 000042
【図１９】
0005453264.tif 000043
【図２０】
0005453264.tif 000044
【図２１】
0005453264.tif 000045
【図２２】
0005453264.tif 000046